(57)【要約】  ネットワークを介して第１の機器から第２の機器へのアクセス許可を第２の機器に登録する方法において、第２の機器は、ネットワークを介して、アクセス許可が未登録の第１の機器から接続要求を受けた場合に、第１の機器からの接続を拒否し、第１のモードに移行する。第１のモードにおいて、第２の機器に対するユーザによる操作を検出し、検出したユーザによる操作が、第２の機器からの再生信号に対する視聴に関する操作か否かを判別する。ユーザによる操作が視聴に関する操作でない場合、アクセス許可を登録するための第２のモードに移行する。ユーザによる操作が視聴に関する操作であった場合、第２のモードに移行しない。
2011070706.tif 000002
【特許請求の範囲】
【請求項１】
第１の機器と第２の機器に接続されたネットワークにおいて前記第１の機器から前記第２の機器へのアクセス許可を前記第２の機器に登録する方法であって、
前記第２の機器は、前記ネットワークを介して、アクセス許可が未登録の第１の機器から接続要求を受けた場合、
前記第１の機器からの接続を拒否し、第１のモードに移行し、
前記第１のモードにおいて、前記第２の機器に対するユーザによる操作を検出し、前記検出したユーザによる操作が、前記第２の機器からの再生信号に対する視聴に関する操作か否かを判別し、
前記ユーザによる操作が前記視聴に関する操作でない場合に、前記第１の機器から前記第２の機器へのアクセス許可を登録するための第２のモードに移行し、
前記ユーザによる操作が前記視聴に関する操作であった場合に、前記第２のモードに移行しない、
機器登録方法。
【請求項２】
前記第２のモードにおいて、前記第２の機器は、前記第１の機器から前記第２の機器へのアクセス許可を登録するための登録画面を表示し、前記登録画面上でのユーザによる操作にしたがい前記アクセス許可を登録する、
請求項１記載の機器登録方法。
【請求項３】
前記第２のモードにおいて、前記第２の機器は、前記第１の機器から再度の接続要求を受信したときに前記アクセス許可を登録する、
請求項１記載の機器登録方法。
【請求項４】
前記第２のモードにおいて、前記第２の機器は、前記アクセス許可を登録するための前記第１の機器上での操作を促す案内画面を表示する、請求項３記載の機器登録方法。
【請求項５】
前記第２の機器は、前記ネットワークを介して未登録の第１の機器から接続要求を受けた場合、第１の機器から第２の機器へのアクセス許可を登録する必要がある旨、及び／又は、アクセス許可の登録方法の情報をユーザに提示する案内画面を表示させるための情報を、前記第１の機器に送信する、
請求項１から３のいずれか１つに記載の機器登録方法。
【請求項６】
前記第１のモードへ移行後、所定時間が経過するまでに前記視聴に関する操作を検出しなかった場合、前記第１のモードを解除する、請求項１から５のいずれか１つに記載の機器登録方法。
【請求項７】
前記第２のモードへ移行後、所定時間が経過したときに、前記第２のモードを解除する、請求項１から６のいずれか１つに記載の機器登録方法。
【請求項８】
前記視聴に関する操作は、音量調節のための操作、画面設定のための操作、早送り操作及び巻き戻し操作の少なくとも１つを含む、請求項１から７のいずれか１つに記載の機器登録方法。
【請求項９】
クライアント装置とネットワークを介して接続され、前記クライアントからのアクセス許可を登録可能なサーバ装置であって、
ユーザからの操作を受け付ける入力部と、
前記ネットワークに対してデータの入出力を行うインタフェース部と、
サーバ装置へのアクセスの許可を制御する制御部とを備え、
前記制御部は、
前記入力部がアクセス許可が未登録のクライアント装置からネットワークを介して接続要求を受けた場合に、
前記クライアント装置からの接続を拒否する応答をクライアント装置に送信し、前記サーバ装置を第１のモードに移行し、
前記第１のモードにおいて、前記サーバ装置に対するユーザによる操作を検出し、前記検出したユーザによる操作が前記第サーバ装置からの再生信号に対する視聴に関する操作か否かを判別し、
前記ユーザによる操作が前記視聴に関する操作でない場合に、前記サーバ装置を、前記クライアント装置から前記サーバ装置へのアクセス許可を登録するための第２のモードに移行し、
前記ユーザによる操作が前記視聴に関する操作であった場合に、前記サーバ装置を前記第２のモードに移行しない、
サーバ装置。
【請求項１０】
前記制御部は、前記第２のモードにおいて、前記クライアント装置から前記サーバ装置へのアクセス許可を登録するための登録画面を表示し、前記登録画面上でのユーザによる操作にしたがい前記アクセス許可を登録する、
請求項９記載のサーバ装置。
【請求項１１】
前記制御部は、前記第２のモードにおいて、前記クライント装置から再度の接続要求を受信したときに前記アクセス許可を登録する、
請求項９記載のサーバ装置。
【請求項１２】
前記第２のモードにおいて、前記制御部は、前記アクセス許可を登録するための前記クライアント装置上での操作を促す案内画面を表示する、請求項１１記載のサーバ装置。
【請求項１３】
前記制御部は、前記ネットワークを介して未登録のクラインアント装置から接続要求を受けた場合、クライアント装置からサーバ装置へのアクセス許可を登録する必要がある旨、及び／又は、アクセス許可の登録方法の情報をユーザに提示する案内画面を表示させるための情報を、前記クラインアント装置に送信する、
請求項９から１１のいずれか１つに記載のサーバ装置。
【請求項１４】
前記制御部は、前記第１のモードへ移行後、所定時間が経過するまでに前記視聴に関する操作を検出しなかった場合、前記第１のモードを解除する、請求項９から１３のいずれか１つに記載のサーバ装置。
【請求項１５】
前記制御部は、前記第２のモードへ移行後、所定時間が経過したときに、前記第２のモードを解除する、請求項９から１４のいずれか１つに記載のサーバ装置。
【請求項１６】
前記視聴に関する操作は、音量調節のための操作、画面設定のための操作、早送り操作及び巻き戻し操作の少なくとも１つを含む、請求項９か１５のいずれか１つに記載のサーバ装置。
【発明の詳細な説明】
【技術分野】
【０００１】
本発明は、ネットワークを介して接続されたテレビやレコーダ等のいわゆるデジタル家電機器における機器登録技術に関する。
【背景技術】
【０００２】
近年、一般家庭内においてもＩＰ（Ｉｎｔｅｒｎｅｔ  Ｐｒｏｔｏｃｏｌ）ネットワークが普及し、ＩＰネットワークに接続可能なテレビやレコーダ等の家電機器が販売されている。【０００３】
ユーザは、これらの家電機器をＩＰネットワークに接続することで利便性を向上させることができる。例えば、特許文献１、２には、テレビとレコーダとをＩＰネットワークを介して接続し、ＩＰネットワークを介して、レコーダのＧＵＩ（Ｇｒａｐｈｉｃａｌ  Ｕｓｅｒ  Ｉｎｔｅｒｆａｃｅ）画面をテレビに表示したり、レコーダに保存しているコンテンツをテレビで視聴したりすることを可能とする技術が開示されている。【０００４】
以下、レコーダのように、コンテンツやＧＵＩ等の情報を提供する機器を総じて「サーバ」と呼び、テレビのように、サーバから情報を取得する機器を総じて「クライアント」と呼ぶ。【０００５】
一般的に、サーバは、自身が保持する情報の提供（アクセス）を許可するクライアントを予め登録し、予め登録していないクライアントからの要求（アクセス）は拒否する仕組みを持っている。【０００６】
図９を参照し、従来のサーバにおけるクライアントのアクセス許可の登録手順について説明する。サーバ８００にクライアント８５０が登録されていない状態において、ユーザがクライアント８５０を操作し、サーバ８００への接続を試みた場合を説明する。【０００７】
ユーザ操作にしたがいクライアント８５０はサーバ８００へ接続要求を送信する（Ｓ８１）。サーバ８００は、接続要求を受けると、クライアント８５０が登録されていないため、クライアント８５０に対して接続拒否を送信する（Ｓ８２）。同時に、サーバ８００は、サーバ８００の画面上にクライアント８５０を登録するための登録画面を表示する（Ｓ８３）。【０００８】
ユーザはクライアント８５０が配置された場所からサーバが配置された場所に移動し、サーバ８００に表示された登録画面上で登録操作を実行する。この操作により、サーバ８００へクライアント８５０が登録される（Ｓ８４）。その後、ユーザはクライアント８５０が配置された場所に戻る。【０００９】
クライアント８５０のサーバ８００への登録が完了した状態において、ユーザが、再びクライアント８５０からサーバ８００への接続を試みると、クラインアント８５０は再度サーバ８００へ接続要求を送信する（Ｓ８５）。このとき、クライアント８５０は登録済みであるため、サーバ８００は、クライアント８５０からの接続要求に対して、接続許可をクライアント８５０へ送信する（Ｓ８６）。以上の手順により、クライアント８５０は、サーバ８００が保持している情報を利用、すなわち、アクセスすることが可能となる。
【先行技術文献】
【特許文献】
【００１０】
【特許文献１】特開２００９−１９４５０３号公報
【特許文献２】国際公開ＷＯ２０１０／０２１１１０
【発明の概要】
【発明が解決しようとする課題】
【００１１】
しかしながら、あるユーザがサーバ８００で番組を視聴中に、他のユーザが上述した従来の登録手順にしたがいサーバ８００へのクライアント８５０の登録を行った場合、あるユーザが視聴中のサーバ８００の画面上に、突然、ステップＳ８３で表示される登録画面が表示されてしまう。このような登録画面の突然の表示は、サーバ８００で番組を視聴中のユーザを驚かせるとともに、ユーザの視聴を妨げてしまうという問題がある。【００１２】
本発明は、このような課題に鑑みてなされたものであり、クライアント機器のサーバ機器への登録処理に起因して、意図しない画面の表示を防止し、ユーザの利便性を向上させることが可能な、機器登録方法及びサーバ装置を提供することを目的とする。
【課題を解決するための手段】
【００１３】
本発明の第１の態様において、第１の機器と第２の機器に接続されたネットワークにおいて前記第１の機器から前記第２の機器へのアクセス許可を前記第２の機器に登録する方法が提供される。機器登録方法において、第２の機器は、ネットワークを介して、アクセス許可が未登録の第１の機器から接続要求を受けた場合、第１の機器からの接続を拒否し、第１のモードに移行する。第１のモードにおいて、第２の機器に対するユーザによる操作を検出し、検出したユーザによる操作が、第２の機器からの再生信号に対する視聴に関する操作か否かを判別する。ユーザによる操作が視聴に関する操作でない場合、第１の機器から第２の機器へのアクセス許可を登録するための第２のモードに移行する。ユーザによる操作が前記視聴に関する操作であった場合、第２のモードに移行しない。【００１４】
本発明の第２の態様において、クライアント装置とネットワークを介して接続され、クライアントからのアクセス許可を登録可能なサーバ装置が提供される。サーバ装置は、ユーザからの操作を受け付ける入力部と、ネットワークに対してデータの入出力を行うインタフェース部と、サーバ装置へのアクセスの許可を制御する制御部とを備える。制御部は、入力部が、アクセス許可が未登録のクライアント装置からネットワークを介して接続要求を受けた場合に、クライアント装置からの接続を拒否する応答をクライアント装置に送信し、サーバ装置を第１のモードに移行する。第１のモードにおいて、サーバ装置に対するユーザによる操作を検出し、検出したユーザによる操作がサーバ装置からの再生信号に対する視聴に関する操作か否かを判別する。ユーザによる操作が視聴に関する操作でない場合に、サーバ装置を、クライアント装置からサーバ装置へのアクセス許可を登録するための第２のモードに移行する。ユーザによる操作が前記視聴に関する操作であった場合に、サーバ装置を第２のモードに移行しない。
【発明の効果】
【００１５】
本発明によれば、クライアント機器のサーバ機器へのアクセス許可の登録処理中に、サーバ機器での視聴が、意図しない画面が突然表示されることによって妨げられることがなく、アクセス許可の登録（機器登録）を行うことができ、ユーザの利便性を向上させることが可能な機器登録を実現することができる。
【図面の簡単な説明】
【００１６】
【図１】本発明の実施の形態におけるネットワーク構成を示す図
【図２】実施の形態におけるクライアントであるテレビの構成を示すブロック図
【図３】実施の形態におけるサーバであるレコーダの構成を示すブロック図
【図４】（ａ）実施の形態におけるクライアントであるテレビに表示される機器選択メニューの一例を示す図、（ｂ）クライアントであるテレビに表示される案内画面の一例を示す図
【図５】実施の形態１におけるアクセス許可の登録手順のシーケンスを示す図
【図６】実施の形態１における登録画面であるアクセス許可登録画面の一例を示す図
【図７】実施の形態２におけるアクセス許可の登録手順のシーケンスを示す図
【図８】実施の形態２における「アクセス許可登録モード」の案内画面の一例を示す図
【図９】従来のサーバにおけるクライアントの登録手順のシーケンスを示す図
【発明を実施するための形態】
【００１７】
以下、本発明の実施の形態について図面を参照しながら説明する。
【００１８】
実施の形態１
１．構成
図１は、本発明の本実施形態のネットワーク構成を示した図である。クライアントの一例であるテレビ１００と、サーバの一例であるレコーダ２００とは、ＩＰネットワーク３００に接続されている。
【００１９】
１．１  テレビ（クライアント）
図２に、テレビ１００の構成を示す。図２に示すように、テレビ１００は、制御部１１０と、ネットワークインタフェース１２０と、入力部１３０と、表示部１４０とを含む。
【００２０】
制御部１１０は、ネットワークインタフェース１２０、入力部１３０および表示部１４０と連携して処理を行う。制御部１１０は、具体的には、ＣＰＵ（Ｃｅｎｔｒａｌ  Ｐｒｏｃｅｓｓｉｎｇ  Ｕｎｉｔ）とメモリを含むハードウェアと、そのハードウェア上で動作するソフトウェアプログラムとで構成される。これらのハードウェアとソフトウェアの協働により、制御部１１０において、機器認識部１１１と、メニュー管理部１１２と、機器管理部１１３と、リモートメニュー管理部１１４との機能が実現される。
【００２１】
ネットワークインタフェース１２０は、制御部１１０と連携して動作し、外部のネットワーク（ここでは、ＩＰネットワーク３００）に接続してデータの入出力を行う。
【００２２】
入力部１３０は、制御部１１０と連携して動作し、ユーザが操作するリモコン（図示せず）などからの入力を受け付ける。
【００２３】
表示部１４０は、制御部１１０と連携して動作し、制御部１１０の指示に応じて画面を表示する。具体的には、表示部１４０は、画像処理プロセッサ、メモリおよびディスプレイパネルなどで構成される。
【００２４】
１．２  レコーダ（サーバ）
図３は、実施の形態１におけるサーバであるレコーダの構成を示すブロック図である。図３に示すように、レコーダ２００は、制御部２１０と、ネットワークインタフェース２２０と、入力部２３０と、出力部２４０と、データ保存部２５０とで構成される。
【００２５】
制御部２１０は、ネットワークインタフェース２２０と、入力部２３０と、出力部２４０と、保存部２５０と連携して処理を行う。制御部２１０は、具体的には、ＣＰＵおよびメモリなどからなるハードウェアと、そのハードウェア上で動作するソフトウェアプログラムで構成される。これらのハードウェアとソフトウェアの協働により、制御部２１０において、機器認識部２１１と、メニュー管理部２１２と、機器管理部２１３と、リモートメニュー管理部２１４との機能を実現している。
【００２６】
ネットワークインタフェース２２０は、制御部２１０と連携して動作し、外部のネットワーク（ここでは、ＩＰネットワーク）に接続してデータの入出力を行う。
【００２７】
入力部２３０は、制御部２１０と連携して動作し、ユーザが操作するリモコン（図示せず）などからの入力を受け付ける。
【００２８】
出力部２４０は制御部２１０と連携して動作し、外部のディスプレイ２６０に接続されており、制御部２１０の指示に応じて表示画面の情報をディスプレイ２６０に出力する。出力部２４０は、具体的には、画像処理プロセッサ、メモリおよび映像音声出力インタフェースなどで構成される。
【００２９】
なお、ディスプレイ２６０は、レコーダ２００の外部に設置されているものとしたが、レコーダ２００と一体的に構成されてもよい。ディスプレイ２６０は例えばＨＤＭＩ（High-Definition Multimedia Interface）によりレコーダ２００と接続される。
【００３０】
２．動作
２．１  機器認識手順
ＩＰネットワーク３００を介して接続されたテレビ１００およびレコーダ２００の機器認識手順について説明する。
【００３１】
テレビ１００の制御部１１０は、ソフトウェアプログラムで構成されている機器認識部１１１を備えており、ＵＰｎＰ（Ｕｎｉｖｅｒｓａｌ  Ｐｌｕｇ  ａｎｄ  Ｐｌａｙ）プロトコルに準拠した動作が可能である。
【００３２】
同様に、レコーダ２００の制御部２１０は、ソフトウェアプログラムで構成されている機器認識部２１１を備えており、ＵＰｎＰプロトコルに準拠した動作が可能である。
【００３３】
従って、テレビ１００とレコーダ２００がそれぞれＩＰネットワーク３００に接続された場合、テレビ１００の機器認識部１１１とレコーダ２００の機器認識部２１１はそれぞれ、ネットワークインタフェース１２０、ＩＰネットワーク３００およびネットワークインタフェース２２０を介して通信を行い、互いの機器を発見・認識することができる。
【００３４】
２．２  ＤＤＤの取得処理
次に、ＩＰネットワーク３００で接続された互いの機器を発見・認識する場合の処理における、デバイスディスクリプションドキュメント（Ｄｅｖｉｃｅ  Ｄｅｓｃｒｉｐｔｉｏｎ  Ｄｏｃｕｍｅｎｔ, 以下「ＤＤＤ」と呼ぶ）の取得処理について説明する。
【００３５】
テレビ１００の機器認識部１１１は、レコーダ２００の機器認識部２１１に対して、ＨＴＴＰ（Ｈｙｐｅｒｔｅｘｔ  Ｔｒａｎｓｆｅｒ  Ｐｒｏｔｏｃｏｌ）形式でＤＤＤを要求する。レコーダ２００の機器認識部２１１は、テレビ１００の機器認識部１１１からの要求に応じて、自身が保有するＤＤＤをテレビ１００の機器認識部１１１へ送信する。ここで、機器認識部１１１は、ＤＤＤの取得を要求するコマンドのＨＴＴＰヘッダ部分に、テレビ１００の名前を表す文字列（以下、「クライアント名」と呼ぶ）を通知するためのヘッダ（以下、「クライアント名ヘッダ」と呼ぶ）を付加する。
【００３６】
なお、クライアント名は、テレビ１００の設置時などにユーザにより設定された文字列であり、例えば「寝室のテレビ」である。クライアント名をクライアント名ヘッダに埋め込む際には、必要に応じて、クライアント名をＢａｓｅ６４形式等でエンコードしても良い。
【００３７】
レコーダ２００の機器認識部２１１は、テレビ１００の機器認識部１１１からの要求にクライアント名ヘッダが付加されていた場合には、必要に応じてＢａｓｅ６４形式等のデコードを行ってクライアント名を抽出する。さらに、機器認識部２１１は、クライアント名ヘッダが付加されていたＥｈｔｅｒパケットから、送信元すなわちテレビ１００のＭＡＣ（Ｍｅｄｉａ  Ａｃｃｅｓｓ  Ｃｏｎｔｒｏｌ）アドレスも抽出し、抽出したクライアント名とＭＡＣアドレスを機器管理部２１３へ渡す。
【００３８】
レコーダ２００の機器管理部２１３は、機器認識部２１１から渡されたクライアント名とＭＡＣアドレスに、そのクライアントに対するアクセス許可が登録済みであるか否かを示す情報を関連付けて保持・管理する。
【００３９】
ここで、アクセス許可とは、ＭＡＣアドレスで示されるクライアント機器（ここでは、テレビ１００）に対して、サーバ機器であるレコーダ２００が、コンテンツ等のデータの提供を許可することを意味する。すなわち、テレビ１００のＭＡＣアドレスに関連付けられたアクセス許可が登録済みの場合、テレビ１００はレコーダ２００のコンテンツを利用可能であるが、未登録の場合は利用できない。
【００４０】
レコーダ２００の機器管理部２１３は、機器認識部２１１から渡されたＭＡＣアドレスに関連付けられたアクセス許可が未登録の場合は未登録であることを、アクセス許可が登録済みの場合は登録済みであることを、それぞれ機器認識部２１１へ通知する。
【００４１】
機器認識部２１１は、機器管理部２１３から未登録であることを通知された場合は、テレビ１００の機器認識部１１１に対するＤＤＤの返信時に、ＨＴＴＰヘッダ部分に未登録であることを通知するためのヘッダ（以下「未登録通知ヘッダ」と呼ぶ）を付加する。一方、機器認識部２１１は、機器管理部２１３から登録済みであることを通知された場合は、未登録通知ヘッダを付加せずにＤＤＤを返信する。
【００４２】
なお、上記の例では、ＭＡＣアドレスをＥｔｈｅｒパケットから抽出する例を説明したが、ＭＡＣアドレスの取得方法はこれに限定されない。例えば、クライアント名ヘッダと同様に、ＭＡＣアドレスの通知を表すヘッダを別途定義し、そのヘッダ経由で、機器認識部１１１から機器認識部２１１へＭＡＣアドレスを通知するようにしても良い。その場合、通知する情報はＭＡＣアドレスの替わりに機器固有のＩＤ（例えば、ＵＵＩＤ：Ｕｎｉｖｅｒｓａｌｌｙ  Ｕｎｉｑｕｅ  Ｉｄｅｎｔｉｆｉｅｒ）であっても構わない。
【００４３】
また、実施の形態１におけるＤＤＤには、少なくとも、レコーダ２００の名前（以下「サーバ名」と呼ぶ）、機器固有ＩＤおよび初期ＵＲＬ（Ｕｎｉｆｏｒｍ  Ｒｅｓｏｕｒｃｅ  Ｌｏｃａｔｏｒ）が含まれる。ここで、サーバ名は、レコーダ２００の設置時などにユーザが設定した文字列（例えば、「リビングのレコーダ」）であり、機器固有ＩＤは、ＭＡＣアドレスあるいは他の機器固有のＩＤ（例えば、ＵＵＩＤ）である。初期ＵＲＬは、詳細は後述するが、ユーザがテレビ１００のメニューからレコーダ２００を選択した際に、テレビ１００がレコーダ２００に関して最初にアクセスするＵＲＬである。
【００４４】
機器認識部１１１は、レコーダ２００の機器認識部２１１からＤＤＤを取得すると、サーバ名、機器固有ＩＤおよび初期ＵＲＬを、機器管理部１１３へ渡し、機器管理部１１３はこれらの情報を保持・管理する。
【００４５】
以上の手順により、テレビ１００とレコーダ２００の間でお互いの認識が行われ、それぞれの機器において、相手機器の名前（クライアント名またはサーバ名）とＭＡＣアドレス（または機器固有ＩＤ）が保持・管理される。
【００４６】
なお、ここでは、１つのテレビ１００と１つのレコーダ２００がＩＰネットワークに接続されている場合を例に挙げて説明したが、ＩＰネットワーク上に複数のテレビ１００および／または複数のレコーダ２００が接続されている場合も、各テレビ１００と各レコーダ２００の間で同様の処理が行われる。すなわち、各テレビ１００はＩＰネットワークで接続された複数のレコーダ２００を発見・認識し、各レコーダ２００はＩＰネットワークで接続された複数のテレビ１００を発見・認識する。
【００４７】
なお、実施の形態１においては、機器名（クライアント名またはサーバ名）がユーザにより入力されるものとしたが、機器名の取得方法はこれに限られない。例えば、製品出荷時に予めデフォルトの機器名（例えば、クライアント名として「テレビ」、サーバ名として「レコーダ」）を登録しておいてもよい。または、複数の機器名（例えば、クライアント名として「リビングのテレビ」や「寝室のテレビ」、サーバ名として「リビングのレコーダ」や「寝室のレコーダ」）を登録しておき、ユーザにいずれか１つを選択させるようにしても良い。
【００４８】
２．３  機器選択動作
ユーザは、テレビ（クライアント）において、レコーダ（サーバ）に記録された映像や音声を再生しようとする場合、接続したいレコーダを選択する必要がある。以下、テレビ（クライアント）から、ネットワークに接続された複数のレコーダ（サーバ）の中から１つを選択する機器選択動作について説明する。図４（ａ）は、実施の形態１におけるクライアントであるテレビ１００に表示される機器選択メニューの一例を示す図である。
【００４９】
テレビ１００の制御部１１０は、ソフトウェアプログラムで構成されているメニュー管理部１１２を備え、メニュー管理部１１２は、表示部１４０に表示するメニュー画面の生成、表示および管理を司る。
【００５０】
テレビ１００において、ユーザによるリモコン（図示せず）操作などにより、入力部１３０を介して機器選択メニューの表示が要求されると、メニュー管理部１１２は、機器管理部１１３から、機器管理部１１３に保持・管理されているサーバ名、機器固有ＩＤを取得し、図４（ａ）に示すような取得したサーバ名を含む機器選択メニュー１１を表示部１４０に表示する。
【００５１】
図４（ａ）は、ＩＰネットワーク３００に接続された２つのサーバ（レコーダ）が存在し、それぞれのサーバ名が「リビングのレコーダ」と「寝室のレコーダ」であることを示している。サーバ名はアイコン１１ａとアイコン１１ｂとして表示され、ユーザがリモコン等を操作していずれかのアイコンを選択できるようになっている。なお、サーバの機器固有ＩＤは、対応したサーバ名に関連付けられて、テレビ１００のメニュー管理部１１２で保持されている。以下の説明では、選択されるレコーダ２００が、アイコン１１ａで示される「リビングのレコーダ」であるとする。
【００５２】
ユーザのリモコン操作などによりアイコン１１ａ（「リビングのレコーダ」）が選択されると、テレビ１００において、メニュー管理部１１２は、機器管理部１１３から、選択されたアイコン１１ａが示すサーバに対応する機器固有ＩＤと関連付けられた初期ＵＲＬを取得し、その初期ＵＲＬをリモートメニュー管理部１１４に送信する。
【００５３】
なお、ここでは、機器固有ＩＤを介してアイコン１１ａと初期ＵＲＬが関連付けられている場合を例に挙げて説明したが、この方法に限られない。ユーザから機器選択メニュー１１の表示を要求された際に、メニュー管理部１１２が機器管理部１１３から初期ＵＲＬを取得し、メニュー管理部１１２内に、初期ＵＲＬとアイコン１１ａとを直接関連付けて保持するようにしても良い。
【００５４】
テレビ１００の制御部１１０は、ソフトウェアプログラムで構成されているリモートメニュー管理部１１４を備えている。このリモートメニュー管理部１１４は、メニュー管理部１１２からアクセス先のＵＲＬの情報を受信し、そのＵＲＬが示すサイトからメニュー描画プログラムを取得し、取得したメニュー描画プログラムを実行して表示部１４０にアクセス先の機器のメニューを表示する。また、リモートメニュー管理部１１４は、入力部１３０から入力された情報をメニュー描画プログラムへ入力したり、アクセス先と通信を行ったりすることでメニューの表示内容の更新を行う。
【００５５】
一方、レコーダ２００の制御部２１０は、ソフトウェアプログラムで構成されているリモートメニュー管理部２１４を備えている。このリモートメニュー管理部２１４は、クライアント機器であるテレビ１００で実行され且つテレビ１００の表示部１４０に表示されるメニュー画面を生成するメニュー描画プログラムや、テレビ１００の表示部１４０に警告や案内を表示する案内画面描画プログラムを保持・管理している。
【００５６】
レコーダ２００のリモートメニュー管理部２１４は、テレビ１００のリモートメニュー管理部１１４からメニュー描画プログラムの取得要求を受けると、その取得要求のＥｔｈｅｒパケットからＭＡＣアドレスを抽出し、そのＭＡＣアドレスへのアクセス許可が機器管理部２１３に登録済みになっているか否かを確認する。登録済みの場合は、リモートメニュー管理部２１４は、メニュー描画プログラムをリモートメニュー管理部１１４に送信し、未登録の場合は、案内画面描画プログラムをリモートメニュー管理部１１４に送信する。
【００５７】
なお、ＨＴＴＰヘッダで機器固有ＩＤを通知する方式を採用する場合は、ＥｔｈｅｒパケットからＭＡＣアドレスを取得する代わりに、ＨＴＴＰヘッダから機器固有ＩＤを取得してもよい。
【００５８】
以下、上記の処理をより具体的に説明する。メニュー描画プログラムや案内画面描画プログラムは、例えば、ＪａｖａＳｃｒｉｐｔ（登録商標）プログラムであり、それぞれ”ｓｔａｒｔ１．ｊｓ”と”ｓｔａｒｔ２．ｊｓ”というファイル名であるとする。一方、レコーダ２００のＤＤＤに記載される初期ＵＲＬがｓｔａｒｔ．ｊｓであるとする（ここでは、簡単のためにファイル名のみで示すが、初期ＵＲＬは、通常、該当ファイルへのパスを含めた形で記述される）。この場合、レコーダ２００のリモートメニュー管理部２１４は、テレビ１００のリモートメニュー管理部１１４から、ｓｔａｒｔ．ｊｓの取得を要求される。
【００５９】
リモートメニュー管理部１１４からｓｔａｒｔ．ｊｓの取得を要求されたリモートメニュー管理部２１４は、リモートメニュー管理部１１４に対するテレビ１００のアクセス許可が登録済みの場合は、このｓｔａｒｔ．ｊｓの取得要求に対して、メニュー描画プログラムである”ｓｔａｒｔ１．ｊｓ”のファイルを送信する。一方、テレビ１００のアクセス許可が未登録の場合は、リモートメニュー管理部２１４は、ｓｔａｒｔ．ｊｓの取得要求に対して、案内画面描画プログラムである”ｓｔａｒｔ２．ｊｓ”のファイルを送信する。
【００６０】
以上の仕組みにより、ユーザが、テレビ１００の表示部１４０に表示された機器選択メニュー１１（図４（ａ）参照）において、レコーダ２００を示すアイコン１１ａを選択した場合、テレビ１００の表示部１４０に次のように表示がなされる。すなわち、レコーダ２００においてテレビ１００のアクセス許可が既に登録されていた場合、レコーダ２００に対する操作を可能とするメニュー画面が表示される。一方、レコーダ２００においてアクセス許可が未登録の場合、テレビ１００において、テレビ１００からはレコーダ２００を利用できない旨を示す案内画面（図４（ｂ）参照）が表示される。
【００６１】
２．４  アクセス許可の登録方法
本実施の形態における、テレビ（クライアント）からレコーダ（サーバ）へのアクセス許可の登録方法について説明する。
【００６２】
図５は、実施の形態１におけるアクセス許可の登録手順のシーケンスを示す図である。なお、図５のシーケンス開始前において、上述の機器認識手順が完了した状態で、テレビ１００のレコーダ２００へのアクセス許可は未登録であるものとする。
【００６３】
図５を参照し、ユーザ操作により、前述の方法でテレビ１００の表示部１４０に表示された機器選択メニュー１１（図４（ａ）参照）からレコーダ２００が選択されると（Ｓ４０１）、テレビ１００はレコーダ２００に対して接続要求を送信する（Ｓ４０２）。この接続要求は、上述した初期ＵＲＬからのメニュー描画プログラム取得要求である。
【００６４】
テレビ１００のアクセス許可が未登録のため、レコーダ２００は、テレビ１００からの接続要求（メニュー描画プログラム取得要求）に対して、接続拒否に対応する情報を送信する（Ｓ４０３）。この接続拒否に対応する情報は、上述した案内画面描画プログラムである。このとき、レコーダ２００のリモートメニュー管理部２１４は登録準備モードへ移行する（Ｓ４０４）。
【００６５】
テレビ１００の表示部１４０には、接続拒否に対応する情報として取得した案内画面描画プログラムにより、案内画面が表示される（Ｓ４０５）。この案内画面は、ユーザに対する案内情報を表示するものであり、テレビ１００のアクセス許可をレコーダ２００へ登録する必要がある旨、及び、その登録方法などの情報をユーザに提示する。図４（ｂ）にこの案内画面の一例を示す。なお、この案内画面は、表示が開始されてから所定時間経過後に自動的に画面から消去されるようにしても良い。
【００６６】
ユーザは、図４（ｂ）に示すような案内画面を参照することで、アクセス許可の登録が必要であること、及び、そのための操作をレコーダ２００上で行う必要があることを認識できる。よって、ユーザは、レコーダ２００のある場所まで移動し、レコーダ２００において、テレビ１００のアクセス許可の登録のための操作を実行する。
【００６７】
レコーダ２００はユーザにより実行された操作を検出し、その操作がアクセス許可の登録のための操作か否かを判別する。よって、レコーダ２００において、ユーザにより、テレビ１００のアクセス許可の登録のための操作が実行されると、レコーダ２００はその操作を検出する（Ｓ４０６）。なお、アクセス許可の登録のための操作については、後述する。
【００６８】
登録準備モードにおいて、入力部２３０を介して、アクセス許可の登録のためのユーザ操作が検出されたときに、登録準備モードを解除し、登録モードに移行する（Ｓ４０７）。登録モードにおいて、リモートメニュー管理部２１４はメニュー管理部２１２に対して、アクセス許可を登録するための登録画面（以下「アクセス許可登録画面」と呼ぶ）の表示を要求する（Ｓ４０８）。
【００６９】
このように、本実施形態では、入力部２３０を介してなされたユーザ操作がアクセス許可の登録のための操作であるか否かを判別している。登録準備モードにおいて、入力部２３０を介してなされたユーザ操作がアクセス許可の登録のための操作である場合、レコーダ２００において、あるユーザがテレビ１００のアクセス許可の登録作業を開始したと考えられる。これにより、レコーダ２００からの再生信号を視聴中のユーザが、レコーダ２００においてアクセス許可の登録作業が開始されたことを認識できる。
【００７０】
レコーダ２００のメニュー管理部２１２は、リモートメニュー管理部２１４からの要求を受けると、出力部２４０を介してディスプレイ２６０に登録画面すなわちアクセス許可登録画面を表示する（Ｓ４０８）。図６に、この登録画面すなわちアクセス許可登録画面１３の一例を示す。
【００７１】
このように、本実施形態では、登録準備モードにおいて、レコーダ２００に対してアクセス許可の登録のための操作があったときに（この場合、レコーダ２００からの再生信号を視聴中のユーザは、視聴を中断し、登録作業を開始することを了承していると考えられる）、アクセス許可登録のための登録画面を表示するようにする。これにより、レコーダ２００からの再生信号を視聴中のユーザにとって強制的に視聴を中断されることを防止できる。
【００７２】
続いて、メニュー管理部２１２は、図６に示すようなアクセス許可登録画面１３上でのユーザ操作、すなわち、「はい」または「いいえ」などの操作を待つ。具体的には、メニュー管理部２１２は、入力部２３０を介してリモコン等の入力を検知し、ユーザ操作を検出する。
【００７３】
レコーダ２００のメニュー管理部２１２は、ユーザにより登録を示す操作がなされたこと（本例では、アクセス許可登録画面１３上で「はい」が選択されたこと）を検出した場合、機器管理部２１３に対して、テレビ１００のアクセス許可登録を要求する。機器管理部２１３は、メニュー管理部２１２からの要求を受けて、テレビ１００のアクセス許可を登録する（Ｓ４０９）。これによりテレビ１００のレコーダ２００に対するアクセス許可の登録処理が完了する。ここで、ユーザは、レコーダ２００でのアクセス許可のための操作完了後、テレビ１００での視聴のため、テレビ１００のある場所まで移動する。
【００７４】
なお、上記の例では、図６に示すように、アクセス許可を与える対象（「寝室のテレビ」）を登録画面上に予め表示し、許可の可否を「はい」、「いいえ」で選択するよう登録画面を作成したが、アクセス許可を与える対象の候補を一覧表示し、ユーザに一つの機器を選択させるように登録画面を作成しても良い。
【００７５】
以上の手順により、テレビ１００からレコーダ２００へのアクセス許可の登録が完了する。それ以降、ユーザによりテレビ１００に表示された機器選択メニュー１１上でレコーダ２００が選択されて（Ｓ４１０）、テレビ１００からレコーダ２００に対して接続要求が送信されると（Ｓ４１１）、その応答として、レコーダ２００からテレビ１００へ、接続許可に対応した情報が送信される（Ｓ４１２）。
【００７６】
ここで、ステップＳ４１１の「接続要求」は、ステップＳ４０２の「接続要求」と同様である。また、ステップＳ４１２において送信される、接続許可に対応する情報は上述のメニュー描画プログラムである。よって、テレビ１００が、この接続許可に対応する情報を受信すると、テレビ１００の表示部１４０には、レコーダ２００の操作画面が表示される。この操作画面により、ユーザはテレビ１００からレコーダ２００の機能を利用したり、レコーダ２００のデータ保存部２５０に蓄積されているコンテンツを視聴したりすることが可能となる。
【００７７】
さらに、ステップＳ４０４において登録準備モードに移行後、所定時間が経過しても、ステップＳ４０６におけるユーザによる登録のための操作が検出できなかった場合は、リモートメニュー管理部２１４は登録準備モードを解除する。
【００７８】
登録準備モードが解除された状態において、ステップＳ４０６におけるユーザによる登録のための操作を検知しても、リモートメニュー管理部２１４は、メニュー管理部２１２に対して、登録画面の表示を要求することは行わない。従って、ステップＳ４０４において登録準備モードに移行した後に所定時間が経過すると、自動的にテレビ１００からのアクセス許可登録処理はキャンセルされる。同様に、ステップＳ４０８において登録画面が表示された後、所定時間経過内にその登録画面に対してユーザによる操作が行われない場合は、登録画面の表示を取り消してもよい。また、ステップＳ４０７において登録モードに移行後、所定時間が経過したときに、登録モードを自動的に解除してもよい。
【００７９】
所定時間の値は任意に設定できる。所定時間は、例えば、テレビ１００とレコーダ２００が家屋内での設置状況（例えば、テレビ１００とレコーダ２００が家屋内で離れた部屋に設置されているか否か）や、ユーザの登録操作に要する時間などを想定して決定することが望ましい。また、所定時間は、ステップＳ４０５で表示された案内画面が自動的に消去される時間と同一または略同一の時間であることが望ましい。
【００８０】
以上のように、ユーザが、テレビ１００からアクセス許可の登録作業を開始したにも関わらず、途中で作業を中止して時間が経過してしまった場合であっても、所定時間の経過後は、アクセス許可の登録処理が自動的にキャンセルされる。このため、ユーザが次にレコーダ２００を操作した際に登録画面が表示されることが無くなり、ユーザの利便性が向上する。
【００８１】
また、ステップＳ４０６においてユーザが実行するアクセス許可を登録するための操作は、レコーダ２００からの再生信号に対する視聴に関する操作であり、例えば、以下の操作が含まれる。
１）レコーダ２００が電源オフの状態（正確には、レコーダ内部ではサブ電源がオン状態であるが、外見上、主電源がオフ状態に見えるような電源状態）にある場合は、レコーダ２００の電源（主電源）をオンにする操作。
２）レコーダ２００が視聴状態（映像信号や音声信号を出力している状態）にある場合（すなわち、アクセス許可を登録しようとするユーザとは別のユーザがレコーダ２００で放送や録画コンテンツを視聴している場合）であれば、レコーダ２００の視聴の際に使用されると予想される操作以外の操作。ここで、レコーダ２００の視聴の際に使用されると予想される操作には、例えば、音量調節の操作、輝度・色調等の調節のような画面設定の操作、または早送り・巻き戻しの操作が含まれる。
【００８２】
以上のように、上記実施形態では、テレビ１００とレコーダ２００に接続されたＩＰネットワーク３００においてテレビ１００からレコーダ２００へのアクセス許可をレコーダ２００に登録する方法において、レコーダ２００は、ＩＰネットワーク３００を介して、アクセス許可が未登録のテレビ１００から接続要求を受けた場合、テレビ１００からの接続を拒否し、登録準備モード（第１のモード）に移行する。登録準備モードにおいて、レコーダ２００は、レコーダ２００に対するユーザによる操作を検出し、検出したユーザによる操作が、レコーダ２００からの再生信号に対する視聴に関する操作か否かを判別する。ユーザによる操作が視聴に関する操作でない場合、レコーダ２００は、テレビ１００からレコーダ２００へのアクセス許可を登録するための登録モード（第２のモード）に移行する。一方、ユーザによる操作が視聴に関する操作であった場合、レコーダ２００は、登録モードに移行しない。
【００８３】
以上の構成により、あるユーザがレコーダ２００で視聴を楽しんでいる場合に、他のユーザによりネットワーク３００を介してテレビ１００からアクセス許可の登録要求が行われても、レコーダ２００に対して視聴の中断を行う操作が行われない限り、登録画面が表示されることがない。このため、レコーダ２００からの再生信号を視聴中のユーザが強制的に視聴を中断されることがなくなり、ユーザの利便性が向上する。
【００８４】
実施の形態２
アクセス許可の登録方法の別の例について説明する。実施の形態１のアクセス許可の登録方法では、レコーダ２００に登録画面を表示し、レコーダ２００においてユーザによる登録作業が実行されることによりアクセス許可の登録がなされる構成を説明した。これに対して、本実施の形態によるアクセス許可の登録方法は、レコーダ２００において案内画面が表示され、その後、ユーザによるテレビ１００上での登録作業が実行されることによりアクセス許可の登録が完了する。図７を用いて、実施の形態２におけるアクセス許可の登録手順のシーケンスを説明する。
【００８５】
図７において、ステップＳ６０１〜ステップＳ６０６はそれぞれ、実施の形態１の図５におけるステップＳ４０１〜ステップＳ４０６と同様であるので、それらの動作の詳細は省略する。以下では、特に、ステップＳ６０６にてユーザにより登録のための操作が実行され、登録準備モードが解除された後の動作、すなわち、ステップＳ６０７〜ステップＳ６１２の動作について詳細に説明する。なお、このとき、ユーザは、ステップＳ６０５において、テレビ１００に表示される案内画面（図４（ｂ）参照）を参照し、レコーダ２００のある場所に移動している。
【００８６】
ステップＳ６０６においてユーザによる登録のための操作の実行を検出すると（すなわち、検出された操作が登録のための操作であると判断されると）、レコーダ２００のリモートメニュー管理部２１４は、登録準備モードを解除し、登録モードに移行する（Ｓ６０７）。なお、この登録モードは、登録モードへ移行した後、所定時間経過しときに、自動的に解除されることが望ましい。また、登録モードへ移行する前に、ディスプレイ２６０に、ユーザにアクセス許可の登録を行うか否かを確認するための確認画面を表示させるようにしてもよい。
【００８７】
そして、レコーダ２００のリモートメニュー管理部２１４は、メニュー管理部２１２に対して、テレビ１００をレコーダ２００に登録するために必要な作業をユーザに示す案内画面を表示するよう要求する（Ｓ６０８）。これにより、ディスプレイ２６０にアクセス許可登録モードの案内画面が表示される。図８に、この案内画面の一例（アクセス許可登録モードの案内画面１５）を示す。
【００８８】
ユーザは、ディスプレイ２６０に表示されたアクセス許可登録モードの案内画面１５を参照して、テレビ１００側において機器（レコーダ）を選択するための操作を実行しなければならないことを認識できる。ユーザは、レコーダ２００のある場所からテレビ１００のある場所まで戻り、テレビ１００の表示部１４０に機器選択メニュー１１（図４（ａ）参照）を表示させ、機器選択メニュー１１上でアクセス許可を得たい機器すなわちレコーダを選択する。本実施の形態では、「リビングのレコーダ」を示すアイコン１１ａを選択する。ユーザによるレコーダ２００の選択操作を検出すると（Ｓ６０９）、テレビ１００は、レコーダ２００に対して接続要求を送信する（Ｓ６１０）。
【００８９】
レコーダ２００のリモートメニュー管理部２１４は、テレビ１００から送信された接続要求のＥｔｈｅｒパケットからＭＡＣアドレスを抽出し、そのＭＡＣアドレスに該当する機器、すなわちテレビ１００に対するアクセス許可を登録するように、機器管理部２１３に要求する。なお、ＭＡＣアドレスを利用する代わりに、前述のように、ＨＴＴＰヘッダを利用した機器固有ＩＤの通知を利用する方式でも良い。
【００９０】
機器管理部２１３がテレビ１００に対するアクセス許可の登録処理を完了する（Ｓ６１１）と、リモートメニュー管理部２１４は登録モードを解除し、接続許可に対応する情報（メニュー描画プログラム）をテレビ１００に送信する（Ｓ６１２）。
【００９１】
以上のようにして、テレビ１００のアクセス許可の登録とともに、テレビ１００に対して、接続許可に対応する情報としてメニュー描画プログラムの送信が完了する。これにより、テレビ１００の表示部１４０にレコーダ２００の操作画面が表示される。この操作画面により、ユーザはテレビ１００からレコーダ２００の機能を利用したり、レコーダ２００のデータ保存部２５０に蓄積されたコンテンツを視聴したりすることが可能となる。
【００９２】
以上のように、実施の形態２では、アクセス許可が未登録のテレビ１００から接続要求を受けた場合、レコーダ２００は、登録準備モードに移行して、ユーザによるアクセス許可登録のための操作を待つ。その後、ユーザによるアクセス許可登録のための操作を検出すると、レコーダ２００は、登録準備モードから登録モードへ移行し、アクセス許可登録のためにテレビ１００側において機器選択の操作を促す案内画面（図８参照）を表示する。そして、テレビ１００側において、ユーザによるアクセス許可登録のための操作（レコーダの選択）がなされ、テレビ１００から接続要求を受けときに、レコーダ２００はアクセス許可の登録を行う。このように、レコーダ２００は、案内画面表示後に、最初に接続要求を受けたテレビと同一のテレビからの接続要求を受けた場合に、アクセス許可の登録を完了する。これにより、ユーザが実際に登録したいテレビと異なるテレビに対して、レコーダにおいて誤ってアクセス許可が登録されることを防止できる。
【産業上の利用可能性】
【００９３】
本発明は、ネットワークで接続されるテレビやレコーダ等のデジタル家電機器における機器登録および表示ユーザインタフェースに有用である。
【符号の説明】
【００９４】
１００  テレビ
１１０  制御部
１１１  機器認識部
１１２  メニュー管理部
１１３  機器管理部
１１４  リモートメニュー管理部
１２０  ネットワークインタフェース
１３０  入力部
１４０  表示部
２００  レコーダ
２１０  制御部
２１１  機器認識部
２１２  メニュー管理部
２１３  機器管理部
２１４  リモートメニュー管理部
２２０  ネットワークインタフェース
２３０  入力部
２４０  出力部
２５０  データ保存部
２６０  ディスプレイ
【図１】
2011070706.tif 000003
【図２】
2011070706.tif 000004
【図３】
2011070706.tif 000005
【図４】
2011070706.tif 000006
【図５】
2011070706.tif 000007
【図６】
2011070706.tif 000008
【図７】
2011070706.tif 000009
【図８】
2011070706.tif 000010
【図９】
2011070706.tif 000011
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
第１の機器と第２の機器に接続されたネットワークにおいて前記第１の機器から前記第２の機器へのアクセス許可を前記第２の機器に登録する方法であって、
前記第２の機器は、前記ネットワークを介して、アクセス許可が未登録の第１の機器から接続要求を受けた場合、
前記第１の機器からの接続を拒否し、第１のモードに移行し、
前記第１のモードにおいて、前記第２の機器に対するユーザによる操作を検出し、前記検出したユーザによる操作が、前記第２の機器からの再生信号に対する視聴に関する操作か否かを判別し、
前記ユーザによる操作が前記視聴に関する操作でない場合に、前記第１の機器から前記第２の機器へのアクセス許可を登録するための第２のモードに移行し、
前記ユーザによる操作が前記視聴に関する操作であった場合に、前記第２のモードに移行しない、
機器登録方法。
【請求項２】
前記第２のモードにおいて、前記第２の機器は、前記第１の機器から前記第２の機器へのアクセス許可を登録するための登録画面を表示し、前記登録画面上でのユーザによる操作にしたがい前記アクセス許可を登録する、
請求項１記載の機器登録方法。
【請求項３】
前記第２のモードにおいて、前記第２の機器は、前記第１の機器から再度の接続要求を受信したときに前記アクセス許可を登録する、
請求項１記載の機器登録方法。
【請求項４】
前記第２のモードにおいて、前記第２の機器は、前記アクセス許可を登録するための前記第１の機器上での操作を促す案内画面を表示する、請求項３記載の機器登録方法。
【請求項５】
前記第２の機器は、前記ネットワークを介して未登録の第１の機器から接続要求を受けた場合、第１の機器から第２の機器へのアクセス許可を登録する必要がある旨、及び／又は、アクセス許可の登録方法の情報をユーザに提示する案内画面を表示させるための情報を、前記第１の機器に送信する、
請求項１から３のいずれか１つに記載の機器登録方法。
【請求項６】
前記第１のモードへ移行後、所定時間が経過するまでに前記視聴に関する操作を検出しなかった場合、前記第１のモードを解除する、請求項１から５のいずれか１つに記載の機器登録方法。
【請求項７】
前記第２のモードへ移行後、所定時間が経過したときに、前記第２のモードを解除する、請求項１から６のいずれか１つに記載の機器登録方法。
【請求項８】
前記視聴に関する操作は、音量調節のための操作、画面設定のための操作、早送り操作及び巻き戻し操作の少なくとも１つを含む、請求項１から７のいずれか１つに記載の機器登録方法。
【請求項９】
クライアント装置とネットワークを介して接続され、前記クライアントからのアクセス許可を登録可能なサーバ装置であって、
ユーザからの操作を受け付ける入力部と、
前記ネットワークに対してデータの入出力を行うインタフェース部と、
サーバ装置へのアクセスの許可を制御する制御部とを備え、
前記制御部は、
前記入力部がアクセス許可が未登録のクライアント装置からネットワークを介して接続要求を受けた場合に、
前記クライアント装置からの接続を拒否する応答をクライアント装置に送信し、前記サーバ装置を第１のモードに移行し、
前記第１のモードにおいて、前記サーバ装置に対するユーザによる操作を検出し、前記検出したユーザによる操作が前記第サーバ装置からの再生信号に対する視聴に関する操作か否かを判別し、
前記ユーザによる操作が前記視聴に関する操作でない場合に、前記サーバ装置を、前記クライアント装置から前記サーバ装置へのアクセス許可を登録するための第２のモードに移行し、
前記ユーザによる操作が前記視聴に関する操作であった場合に、前記サーバ装置を前記第２のモードに移行しない、
サーバ装置。
【請求項１０】
前記制御部は、前記第２のモードにおいて、前記クライアント装置から前記サーバ装置へのアクセス許可を登録するための登録画面を表示し、前記登録画面上でのユーザによる操作にしたがい前記アクセス許可を登録する、
請求項９記載のサーバ装置。
【請求項１１】
前記制御部は、前記第２のモードにおいて、前記クライント装置から再度の接続要求を受信したときに前記アクセス許可を登録する、
請求項９記載のサーバ装置。
【請求項１２】
前記第２のモードにおいて、前記制御部は、前記アクセス許可を登録するための前記クライアント装置上での操作を促す案内画面を表示する、請求項１１記載のサーバ装置。
【請求項１３】
前記制御部は、前記ネットワークを介して未登録のクラインアント装置から接続要求を受けた場合、クライアント装置からサーバ装置へのアクセス許可を登録する必要がある旨、及び／又は、アクセス許可の登録方法の情報をユーザに提示する案内画面を表示させるための情報を、前記クラインアント装置に送信する、
請求項９から１１のいずれか１つに記載のサーバ装置。
【請求項１４】
前記制御部は、前記第１のモードへ移行後、所定時間が経過するまでに前記視聴に関する操作を検出しなかった場合、前記第１のモードを解除する、請求項９から１３のいずれか１つに記載のサーバ装置。
【請求項１５】
前記制御部は、前記第２のモードへ移行後、所定時間が経過したときに、前記第２のモードを解除する、請求項９から１４のいずれか１つに記載のサーバ装置。
【請求項１６】
前記視聴に関する操作は、音量調節のための操作、画面設定のための操作、早送り操作及び巻き戻し操作の少なくとも１つを含む、請求項９から１５のいずれか１つに記載のサーバ装置。
【手続補正２】
【補正対象書類名】明細書
【補正対象項目名】全文
【補正方法】変更
【補正の内容】
【発明の詳細な説明】
【技術分野】
【０００１】
本発明は、ネットワークを介して接続されたテレビやレコーダ等のいわゆるデジタル家電機器における機器登録技術に関する。
【背景技術】
【０００２】
近年、一般家庭内においてもＩＰ（Ｉｎｔｅｒｎｅｔ  Ｐｒｏｔｏｃｏｌ）ネットワークが普及し、ＩＰネットワークに接続可能なテレビやレコーダ等の家電機器が販売されている。
【０００３】
ユーザは、これらの家電機器をＩＰネットワークに接続することで利便性を向上させることができる。例えば、特許文献１、２には、テレビとレコーダとをＩＰネットワークを介して接続し、ＩＰネットワークを介して、レコーダのＧＵＩ（Ｇｒａｐｈｉｃａｌ  Ｕｓｅｒ  Ｉｎｔｅｒｆａｃｅ）画面をテレビに表示したり、レコーダに保存しているコンテンツをテレビで視聴したりすることを可能とする技術が開示されている。
【０００４】
以下、レコーダのように、コンテンツやＧＵＩ等の情報を提供する機器を総じて「サーバ」と呼び、テレビのように、サーバから情報を取得する機器を総じて「クライアント」と呼ぶ。
【０００５】
一般的に、サーバは、自身が保持する情報の提供（アクセス）を許可するクライアントを予め登録し、予め登録していないクライアントからの要求（アクセス）は拒否する仕組みを持っている。
【０００６】
図９を参照し、従来のサーバにおけるクライアントのアクセス許可の登録手順について説明する。サーバ８００にクライアント８５０が登録されていない状態において、ユーザがクライアント８５０を操作し、サーバ８００への接続を試みた場合を説明する。
【０００７】
ユーザ操作にしたがいクライアント８５０はサーバ８００へ接続要求を送信する（Ｓ８１）。サーバ８００は、接続要求を受けると、クライアント８５０が登録されていないため、クライアント８５０に対して接続拒否を送信する（Ｓ８２）。同時に、サーバ８００は、サーバ８００の画面上にクライアント８５０を登録するための登録画面を表示する（Ｓ８３）。
【０００８】
ユーザはクライアント８５０が配置された場所からサーバが配置された場所に移動し、サーバ８００に表示された登録画面上で登録操作を実行する。この操作により、サーバ８００へクライアント８５０が登録される（Ｓ８４）。その後、ユーザはクライアント８５０が配置された場所に戻る。
【０００９】
クライアント８５０のサーバ８００への登録が完了した状態において、ユーザが、再びクライアント８５０からサーバ８００への接続を試みると、クラインアント８５０は再度サーバ８００へ接続要求を送信する（Ｓ８５）。このとき、クライアント８５０は登録済みであるため、サーバ８００は、クライアント８５０からの接続要求に対して、接続許可をクライアント８５０へ送信する（Ｓ８６）。以上の手順により、クライアント８５０は、サーバ８００が保持している情報を利用、すなわち、アクセスすることが可能となる。
【先行技術文献】
【特許文献】
【００１０】
【特許文献１】特開２００９−１９４５０３号公報
【特許文献２】国際公開ＷＯ２０１０／０２１１１０
【発明の概要】
【発明が解決しようとする課題】
【００１１】
しかしながら、あるユーザがサーバ８００で番組を視聴中に、他のユーザが上述した従来の登録手順にしたがいサーバ８００へのクライアント８５０の登録を行った場合、あるユーザが視聴中のサーバ８００の画面上に、突然、ステップＳ８３で表示される登録画面が表示されてしまう。このような登録画面の突然の表示は、サーバ８００で番組を視聴中のユーザを驚かせるとともに、ユーザの視聴を妨げてしまうという問題がある。
【００１２】
本発明は、このような課題に鑑みてなされたものであり、クライアント機器のサーバ機器への登録処理に起因して、意図しない画面の表示を防止し、ユーザの利便性を向上させることが可能な、機器登録方法及びサーバ装置を提供することを目的とする。
【課題を解決するための手段】
【００１３】
本発明の第１の態様において、第１の機器と第２の機器に接続されたネットワークにおいて前記第１の機器から前記第２の機器へのアクセス許可を前記第２の機器に登録する方法が提供される。機器登録方法において、第２の機器は、ネットワークを介して、アクセス許可が未登録の第１の機器から接続要求を受けた場合、第１の機器からの接続を拒否し、第１のモードに移行する。第１のモードにおいて、第２の機器に対するユーザによる操作を検出し、検出したユーザによる操作が、第２の機器からの再生信号に対する視聴に関する操作か否かを判別する。ユーザによる操作が視聴に関する操作でない場合、第１の機器から第２の機器へのアクセス許可を登録するための第２のモードに移行する。ユーザによる操作が前記視聴に関する操作であった場合、第２のモードに移行しない。
【００１４】
本発明の第２の態様において、クライアント装置とネットワークを介して接続され、クライアントからのアクセス許可を登録可能なサーバ装置が提供される。サーバ装置は、ユーザからの操作を受け付ける入力部と、ネットワークに対してデータの入出力を行うインタフェース部と、サーバ装置へのアクセスの許可を制御する制御部とを備える。制御部は、入力部が、アクセス許可が未登録のクライアント装置からネットワークを介して接続要求を受けた場合に、クライアント装置からの接続を拒否する応答をクライアント装置に送信し、サーバ装置を第１のモードに移行する。第１のモードにおいて、サーバ装置に対するユーザによる操作を検出し、検出したユーザによる操作がサーバ装置からの再生信号に対する視聴に関する操作か否かを判別する。ユーザによる操作が視聴に関する操作でない場合に、サーバ装置を、クライアント装置からサーバ装置へのアクセス許可を登録するための第２のモードに移行する。ユーザによる操作が前記視聴に関する操作であった場合に、サーバ装置を第２のモードに移行しない。
【発明の効果】
【００１５】
本発明によれば、クライアント機器のサーバ機器へのアクセス許可の登録処理中に、サーバ機器での視聴が、意図しない画面が突然表示されることによって妨げられることがなく、アクセス許可の登録（機器登録）を行うことができ、ユーザの利便性を向上させることが可能な機器登録を実現することができる。
【図面の簡単な説明】
【００１６】
【図１】本発明の実施の形態におけるネットワーク構成を示す図
【図２】実施の形態におけるクライアントであるテレビの構成を示すブロック図
【図３】実施の形態におけるサーバであるレコーダの構成を示すブロック図
【図４】（ａ）実施の形態におけるクライアントであるテレビに表示される機器選択メニューの一例を示す図、（ｂ）クライアントであるテレビに表示される案内画面の一例を示す図
【図５】実施の形態１におけるアクセス許可の登録手順のシーケンスを示す図
【図６】実施の形態１における登録画面であるアクセス許可登録画面の一例を示す図
【図７】実施の形態２におけるアクセス許可の登録手順のシーケンスを示す図
【図８】実施の形態２における「アクセス許可登録モード」の案内画面の一例を示す図
【図９】従来のサーバにおけるクライアントの登録手順のシーケンスを示す図
【発明を実施するための形態】
【００１７】
以下、本発明の実施の形態について図面を参照しながら説明する。
【００１８】
実施の形態１
１．構成
図１は、本発明の本実施形態のネットワーク構成を示した図である。クライアントの一例であるテレビ１００と、サーバの一例であるレコーダ２００とは、ＩＰネットワーク３００に接続されている。
【００１９】
１．１  テレビ（クライアント）
図２に、テレビ１００の構成を示す。図２に示すように、テレビ１００は、制御部１１０と、ネットワークインタフェース１２０と、入力部１３０と、表示部１４０とを含む。
【００２０】
制御部１１０は、ネットワークインタフェース１２０、入力部１３０および表示部１４０と連携して処理を行う。制御部１１０は、具体的には、ＣＰＵ（Ｃｅｎｔｒａｌ  Ｐｒｏｃｅｓｓｉｎｇ  Ｕｎｉｔ）とメモリを含むハードウェアと、そのハードウェア上で動作するソフトウェアプログラムとで構成される。これらのハードウェアとソフトウェアの協働により、制御部１１０において、機器認識部１１１と、メニュー管理部１１２と、機器管理部１１３と、リモートメニュー管理部１１４との機能が実現される。
【００２１】
ネットワークインタフェース１２０は、制御部１１０と連携して動作し、外部のネットワーク（ここでは、ＩＰネットワーク３００）に接続してデータの入出力を行う。
【００２２】
入力部１３０は、制御部１１０と連携して動作し、ユーザが操作するリモコン（図示せず）などからの入力を受け付ける。
【００２３】
表示部１４０は、制御部１１０と連携して動作し、制御部１１０の指示に応じて画面を表示する。具体的には、表示部１４０は、画像処理プロセッサ、メモリおよびディスプレイパネルなどで構成される。
【００２４】
１．２  レコーダ（サーバ）
図３は、実施の形態１におけるサーバであるレコーダの構成を示すブロック図である。図３に示すように、レコーダ２００は、制御部２１０と、ネットワークインタフェース２２０と、入力部２３０と、出力部２４０と、データ保存部２５０とで構成される。
【００２５】
制御部２１０は、ネットワークインタフェース２２０と、入力部２３０と、出力部２４０と、保存部２５０と連携して処理を行う。制御部２１０は、具体的には、ＣＰＵおよびメモリなどからなるハードウェアと、そのハードウェア上で動作するソフトウェアプログラムで構成される。これらのハードウェアとソフトウェアの協働により、制御部２１０において、機器認識部２１１と、メニュー管理部２１２と、機器管理部２１３と、リモートメニュー管理部２１４との機能を実現している。
【００２６】
ネットワークインタフェース２２０は、制御部２１０と連携して動作し、外部のネットワーク（ここでは、ＩＰネットワーク）に接続してデータの入出力を行う。
【００２７】
入力部２３０は、制御部２１０と連携して動作し、ユーザが操作するリモコン（図示せず）などからの入力を受け付ける。
【００２８】
出力部２４０は制御部２１０と連携して動作し、外部のディスプレイ２６０に接続されており、制御部２１０の指示に応じて表示画面の情報をディスプレイ２６０に出力する。出力部２４０は、具体的には、画像処理プロセッサ、メモリおよび映像音声出力インタフェースなどで構成される。
【００２９】
なお、ディスプレイ２６０は、レコーダ２００の外部に設置されているものとしたが、レコーダ２００と一体的に構成されてもよい。ディスプレイ２６０は例えばＨＤＭＩ（High-Definition Multimedia Interface）によりレコーダ２００と接続される。
【００３０】
２．動作
２．１  機器認識手順
ＩＰネットワーク３００を介して接続されたテレビ１００およびレコーダ２００の機器認識手順について説明する。
【００３１】
テレビ１００の制御部１１０は、ソフトウェアプログラムで構成されている機器認識部１１１を備えており、ＵＰｎＰ（Ｕｎｉｖｅｒｓａｌ  Ｐｌｕｇ  ａｎｄ  Ｐｌａｙ）プロトコルに準拠した動作が可能である。
【００３２】
同様に、レコーダ２００の制御部２１０は、ソフトウェアプログラムで構成されている機器認識部２１１を備えており、ＵＰｎＰプロトコルに準拠した動作が可能である。
【００３３】
従って、テレビ１００とレコーダ２００がそれぞれＩＰネットワーク３００に接続された場合、テレビ１００の機器認識部１１１とレコーダ２００の機器認識部２１１はそれぞれ、ネットワークインタフェース１２０、ＩＰネットワーク３００およびネットワークインタフェース２２０を介して通信を行い、互いの機器を発見・認識することができる。
【００３４】
２．２  ＤＤＤの取得処理
次に、ＩＰネットワーク３００で接続された互いの機器を発見・認識する場合の処理における、デバイスディスクリプションドキュメント（Ｄｅｖｉｃｅ  Ｄｅｓｃｒｉｐｔｉｏｎ  Ｄｏｃｕｍｅｎｔ, 以下「ＤＤＤ」と呼ぶ）の取得処理について説明する。
【００３５】
テレビ１００の機器認識部１１１は、レコーダ２００の機器認識部２１１に対して、ＨＴＴＰ（Ｈｙｐｅｒｔｅｘｔ  Ｔｒａｎｓｆｅｒ  Ｐｒｏｔｏｃｏｌ）形式でＤＤＤを要求する。レコーダ２００の機器認識部２１１は、テレビ１００の機器認識部１１１からの要求に応じて、自身が保有するＤＤＤをテレビ１００の機器認識部１１１へ送信する。ここで、機器認識部１１１は、ＤＤＤの取得を要求するコマンドのＨＴＴＰヘッダ部分に、テレビ１００の名前を表す文字列（以下、「クライアント名」と呼ぶ）を通知するためのヘッダ（以下、「クライアント名ヘッダ」と呼ぶ）を付加する。
【００３６】
なお、クライアント名は、テレビ１００の設置時などにユーザにより設定された文字列であり、例えば「寝室のテレビ」である。クライアント名をクライアント名ヘッダに埋め込む際には、必要に応じて、クライアント名をＢａｓｅ６４形式等でエンコードしても良い。
【００３７】
レコーダ２００の機器認識部２１１は、テレビ１００の機器認識部１１１からの要求にクライアント名ヘッダが付加されていた場合には、必要に応じてＢａｓｅ６４形式等のデコードを行ってクライアント名を抽出する。さらに、機器認識部２１１は、クライアント名ヘッダが付加されていたＥｈｔｅｒパケットから、送信元すなわちテレビ１００のＭＡＣ（Ｍｅｄｉａ  Ａｃｃｅｓｓ  Ｃｏｎｔｒｏｌ）アドレスも抽出し、抽出したクライアント名とＭＡＣアドレスを機器管理部２１３へ渡す。
【００３８】
レコーダ２００の機器管理部２１３は、機器認識部２１１から渡されたクライアント名とＭＡＣアドレスに、そのクライアントに対するアクセス許可が登録済みであるか否かを示す情報を関連付けて保持・管理する。
【００３９】
ここで、アクセス許可とは、ＭＡＣアドレスで示されるクライアント機器（ここでは、テレビ１００）に対して、サーバ機器であるレコーダ２００が、コンテンツ等のデータの提供を許可することを意味する。すなわち、テレビ１００のＭＡＣアドレスに関連付けられたアクセス許可が登録済みの場合、テレビ１００はレコーダ２００のコンテンツを利用可能であるが、未登録の場合は利用できない。
【００４０】
レコーダ２００の機器管理部２１３は、機器認識部２１１から渡されたＭＡＣアドレスに関連付けられたアクセス許可が未登録の場合は未登録であることを、アクセス許可が登録済みの場合は登録済みであることを、それぞれ機器認識部２１１へ通知する。
【００４１】
機器認識部２１１は、機器管理部２１３から未登録であることを通知された場合は、テレビ１００の機器認識部１１１に対するＤＤＤの返信時に、ＨＴＴＰヘッダ部分に未登録であることを通知するためのヘッダ（以下「未登録通知ヘッダ」と呼ぶ）を付加する。一方、機器認識部２１１は、機器管理部２１３から登録済みであることを通知された場合は、未登録通知ヘッダを付加せずにＤＤＤを返信する。
【００４２】
なお、上記の例では、ＭＡＣアドレスをＥｔｈｅｒパケットから抽出する例を説明したが、ＭＡＣアドレスの取得方法はこれに限定されない。例えば、クライアント名ヘッダと同様に、ＭＡＣアドレスの通知を表すヘッダを別途定義し、そのヘッダ経由で、機器認識部１１１から機器認識部２１１へＭＡＣアドレスを通知するようにしても良い。その場合、通知する情報はＭＡＣアドレスの替わりに機器固有のＩＤ（例えば、ＵＵＩＤ：Ｕｎｉｖｅｒｓａｌｌｙ  Ｕｎｉｑｕｅ  Ｉｄｅｎｔｉｆｉｅｒ）であっても構わない。
【００４３】
また、実施の形態１におけるＤＤＤには、少なくとも、レコーダ２００の名前（以下「サーバ名」と呼ぶ）、機器固有ＩＤおよび初期ＵＲＬ（Ｕｎｉｆｏｒｍ  Ｒｅｓｏｕｒｃｅ  Ｌｏｃａｔｏｒ）が含まれる。ここで、サーバ名は、レコーダ２００の設置時などにユーザが設定した文字列（例えば、「リビングのレコーダ」）であり、機器固有ＩＤは、ＭＡＣアドレスあるいは他の機器固有のＩＤ（例えば、ＵＵＩＤ）である。初期ＵＲＬは、詳細は後述するが、ユーザがテレビ１００のメニューからレコーダ２００を選択した際に、テレビ１００がレコーダ２００に関して最初にアクセスするＵＲＬである。
【００４４】
機器認識部１１１は、レコーダ２００の機器認識部２１１からＤＤＤを取得すると、サーバ名、機器固有ＩＤおよび初期ＵＲＬを、機器管理部１１３へ渡し、機器管理部１１３はこれらの情報を保持・管理する。
【００４５】
以上の手順により、テレビ１００とレコーダ２００の間でお互いの認識が行われ、それぞれの機器において、相手機器の名前（クライアント名またはサーバ名）とＭＡＣアドレス（または機器固有ＩＤ）が保持・管理される。
【００４６】
なお、ここでは、１つのテレビ１００と１つのレコーダ２００がＩＰネットワークに接続されている場合を例に挙げて説明したが、ＩＰネットワーク上に複数のテレビ１００および／または複数のレコーダ２００が接続されている場合も、各テレビ１００と各レコーダ２００の間で同様の処理が行われる。すなわち、各テレビ１００はＩＰネットワークで接続された複数のレコーダ２００を発見・認識し、各レコーダ２００はＩＰネットワークで接続された複数のテレビ１００を発見・認識する。
【００４７】
なお、実施の形態１においては、機器名（クライアント名またはサーバ名）がユーザにより入力されるものとしたが、機器名の取得方法はこれに限られない。例えば、製品出荷時に予めデフォルトの機器名（例えば、クライアント名として「テレビ」、サーバ名として「レコーダ」）を登録しておいてもよい。または、複数の機器名（例えば、クライアント名として「リビングのテレビ」や「寝室のテレビ」、サーバ名として「リビングのレコーダ」や「寝室のレコーダ」）を登録しておき、ユーザにいずれか１つを選択させるようにしても良い。
【００４８】
２．３  機器選択動作
ユーザは、テレビ（クライアント）において、レコーダ（サーバ）に記録された映像や音声を再生しようとする場合、接続したいレコーダを選択する必要がある。以下、テレビ（クライアント）から、ネットワークに接続された複数のレコーダ（サーバ）の中から１つを選択する機器選択動作について説明する。図４（ａ）は、実施の形態１におけるクライアントであるテレビ１００に表示される機器選択メニューの一例を示す図である。
【００４９】
テレビ１００の制御部１１０は、ソフトウェアプログラムで構成されているメニュー管理部１１２を備え、メニュー管理部１１２は、表示部１４０に表示するメニュー画面の生成、表示および管理を司る。
【００５０】
テレビ１００において、ユーザによるリモコン（図示せず）操作などにより、入力部１３０を介して機器選択メニューの表示が要求されると、メニュー管理部１１２は、機器管理部１１３から、機器管理部１１３に保持・管理されているサーバ名、機器固有ＩＤを取得し、図４（ａ）に示すような取得したサーバ名を含む機器選択メニュー１１を表示部１４０に表示する。
【００５１】
図４（ａ）は、ＩＰネットワーク３００に接続された２つのサーバ（レコーダ）が存在し、それぞれのサーバ名が「リビングのレコーダ」と「寝室のレコーダ」であることを示している。サーバ名はアイコン１１ａとアイコン１１ｂとして表示され、ユーザがリモコン等を操作していずれかのアイコンを選択できるようになっている。なお、サーバの機器固有ＩＤは、対応したサーバ名に関連付けられて、テレビ１００のメニュー管理部１１２で保持されている。以下の説明では、選択されるレコーダ２００が、アイコン１１ａで示される「リビングのレコーダ」であるとする。
【００５２】
ユーザのリモコン操作などによりアイコン１１ａ（「リビングのレコーダ」）が選択されると、テレビ１００において、メニュー管理部１１２は、機器管理部１１３から、選択されたアイコン１１ａが示すサーバに対応する機器固有ＩＤと関連付けられた初期ＵＲＬを取得し、その初期ＵＲＬをリモートメニュー管理部１１４に送信する。
【００５３】
なお、ここでは、機器固有ＩＤを介してアイコン１１ａと初期ＵＲＬが関連付けられている場合を例に挙げて説明したが、この方法に限られない。ユーザから機器選択メニュー１１の表示を要求された際に、メニュー管理部１１２が機器管理部１１３から初期ＵＲＬを取得し、メニュー管理部１１２内に、初期ＵＲＬとアイコン１１ａとを直接関連付けて保持するようにしても良い。
【００５４】
テレビ１００の制御部１１０は、ソフトウェアプログラムで構成されているリモートメニュー管理部１１４を備えている。このリモートメニュー管理部１１４は、メニュー管理部１１２からアクセス先のＵＲＬの情報を受信し、そのＵＲＬが示すサイトからメニュー描画プログラムを取得し、取得したメニュー描画プログラムを実行して表示部１４０にアクセス先の機器のメニューを表示する。また、リモートメニュー管理部１１４は、入力部１３０から入力された情報をメニュー描画プログラムへ入力したり、アクセス先と通信を行ったりすることでメニューの表示内容の更新を行う。
【００５５】
一方、レコーダ２００の制御部２１０は、ソフトウェアプログラムで構成されているリモートメニュー管理部２１４を備えている。このリモートメニュー管理部２１４は、クライアント機器であるテレビ１００で実行され且つテレビ１００の表示部１４０に表示されるメニュー画面を生成するメニュー描画プログラムや、テレビ１００の表示部１４０に警告や案内を表示する案内画面描画プログラムを保持・管理している。
【００５６】
レコーダ２００のリモートメニュー管理部２１４は、テレビ１００のリモートメニュー管理部１１４からメニュー描画プログラムの取得要求を受けると、その取得要求のＥｔｈｅｒパケットからＭＡＣアドレスを抽出し、そのＭＡＣアドレスへのアクセス許可が機器管理部２１３に登録済みになっているか否かを確認する。登録済みの場合は、リモートメニュー管理部２１４は、メニュー描画プログラムをリモートメニュー管理部１１４に送信し、未登録の場合は、案内画面描画プログラムをリモートメニュー管理部１１４に送信する。
【００５７】
なお、ＨＴＴＰヘッダで機器固有ＩＤを通知する方式を採用する場合は、ＥｔｈｅｒパケットからＭＡＣアドレスを取得する代わりに、ＨＴＴＰヘッダから機器固有ＩＤを取得してもよい。
【００５８】
以下、上記の処理をより具体的に説明する。メニュー描画プログラムや案内画面描画プログラムは、例えば、ＪａｖａＳｃｒｉｐｔ（登録商標）プログラムであり、それぞれ”ｓｔａｒｔ１．ｊｓ”と”ｓｔａｒｔ２．ｊｓ”というファイル名であるとする。一方、レコーダ２００のＤＤＤに記載される初期ＵＲＬがｓｔａｒｔ．ｊｓであるとする（ここでは、簡単のためにファイル名のみで示すが、初期ＵＲＬは、通常、該当ファイルへのパスを含めた形で記述される）。この場合、レコーダ２００のリモートメニュー管理部２１４は、テレビ１００のリモートメニュー管理部１１４から、ｓｔａｒｔ．ｊｓの取得を要求される。
【００５９】
リモートメニュー管理部１１４からｓｔａｒｔ．ｊｓの取得を要求されたリモートメニュー管理部２１４は、リモートメニュー管理部１１４に対するテレビ１００のアクセス許可が登録済みの場合は、このｓｔａｒｔ．ｊｓの取得要求に対して、メニュー描画プログラムである”ｓｔａｒｔ１．ｊｓ”のファイルを送信する。一方、テレビ１００のアクセス許可が未登録の場合は、リモートメニュー管理部２１４は、ｓｔａｒｔ．ｊｓの取得要求に対して、案内画面描画プログラムである”ｓｔａｒｔ２．ｊｓ”のファイルを送信する。
【００６０】
以上の仕組みにより、ユーザが、テレビ１００の表示部１４０に表示された機器選択メニュー１１（図４（ａ）参照）において、レコーダ２００を示すアイコン１１ａを選択した場合、テレビ１００の表示部１４０に次のように表示がなされる。すなわち、レコーダ２００においてテレビ１００のアクセス許可が既に登録されていた場合、レコーダ２００に対する操作を可能とするメニュー画面が表示される。一方、レコーダ２００においてアクセス許可が未登録の場合、テレビ１００において、テレビ１００からはレコーダ２００を利用できない旨を示す案内画面（図４（ｂ）参照）が表示される。
【００６１】
２．４  アクセス許可の登録方法
本実施の形態における、テレビ（クライアント）からレコーダ（サーバ）へのアクセス許可の登録方法について説明する。
【００６２】
図５は、実施の形態１におけるアクセス許可の登録手順のシーケンスを示す図である。なお、図５のシーケンス開始前において、上述の機器認識手順が完了した状態で、テレビ１００のレコーダ２００へのアクセス許可は未登録であるものとする。
【００６３】
図５を参照し、ユーザ操作により、前述の方法でテレビ１００の表示部１４０に表示された機器選択メニュー１１（図４（ａ）参照）からレコーダ２００が選択されると（Ｓ４０１）、テレビ１００はレコーダ２００に対して接続要求を送信する（Ｓ４０２）。この接続要求は、上述した初期ＵＲＬからのメニュー描画プログラム取得要求である。
【００６４】
テレビ１００のアクセス許可が未登録のため、レコーダ２００は、テレビ１００からの接続要求（メニュー描画プログラム取得要求）に対して、接続拒否に対応する情報を送信する（Ｓ４０３）。この接続拒否に対応する情報は、上述した案内画面描画プログラムである。このとき、レコーダ２００のリモートメニュー管理部２１４は登録準備モードへ移行する（Ｓ４０４）。
【００６５】
テレビ１００の表示部１４０には、接続拒否に対応する情報として取得した案内画面描画プログラムにより、案内画面が表示される（Ｓ４０５）。この案内画面は、ユーザに対する案内情報を表示するものであり、テレビ１００のアクセス許可をレコーダ２００へ登録する必要がある旨、及び、その登録方法などの情報をユーザに提示する。図４（ｂ）にこの案内画面の一例を示す。なお、この案内画面は、表示が開始されてから所定時間経過後に自動的に画面から消去されるようにしても良い。
【００６６】
ユーザは、図４（ｂ）に示すような案内画面を参照することで、アクセス許可の登録が必要であること、及び、そのための操作をレコーダ２００上で行う必要があることを認識できる。よって、ユーザは、レコーダ２００のある場所まで移動し、レコーダ２００において、テレビ１００のアクセス許可の登録のための操作を実行する。
【００６７】
レコーダ２００はユーザにより実行された操作を検出し、その操作がアクセス許可の登録のための操作か否かを判別する。よって、レコーダ２００において、ユーザにより、テレビ１００のアクセス許可の登録のための操作が実行されると、レコーダ２００はその操作を検出する（Ｓ４０６）。なお、アクセス許可の登録のための操作については、後述する。
【００６８】
登録準備モードにおいて、入力部２３０を介して、アクセス許可の登録のためのユーザ操作が検出されたときに、登録準備モードを解除し、登録モードに移行する（Ｓ４０７）。登録モードにおいて、リモートメニュー管理部２１４はメニュー管理部２１２に対して、アクセス許可を登録するための登録画面（以下「アクセス許可登録画面」と呼ぶ）の表示を要求する（Ｓ４０８）。
【００６９】
このように、本実施形態では、入力部２３０を介してなされたユーザ操作がアクセス許可の登録のための操作であるか否かを判別している。登録準備モードにおいて、入力部２３０を介してなされたユーザ操作がアクセス許可の登録のための操作である場合、レコーダ２００において、あるユーザがテレビ１００のアクセス許可の登録作業を開始したと考えられる。これにより、レコーダ２００からの再生信号を視聴中のユーザが、レコーダ２００においてアクセス許可の登録作業が開始されたことを認識できる。
【００７０】
レコーダ２００のメニュー管理部２１２は、リモートメニュー管理部２１４からの要求を受けると、出力部２４０を介してディスプレイ２６０に登録画面すなわちアクセス許可登録画面を表示する（Ｓ４０８）。図６に、この登録画面すなわちアクセス許可登録画面１３の一例を示す。
【００７１】
このように、本実施形態では、登録準備モードにおいて、レコーダ２００に対してアクセス許可の登録のための操作があったときに（この場合、レコーダ２００からの再生信号を視聴中のユーザは、視聴を中断し、登録作業を開始することを了承していると考えられる）、アクセス許可登録のための登録画面を表示するようにする。これにより、レコーダ２００からの再生信号を視聴中のユーザにとって強制的に視聴を中断されることを防止できる。
【００７２】
続いて、メニュー管理部２１２は、図６に示すようなアクセス許可登録画面１３上でのユーザ操作、すなわち、「はい」または「いいえ」などの操作を待つ。具体的には、メニュー管理部２１２は、入力部２３０を介してリモコン等の入力を検知し、ユーザ操作を検出する。
【００７３】
レコーダ２００のメニュー管理部２１２は、ユーザにより登録を示す操作がなされたこと（本例では、アクセス許可登録画面１３上で「はい」が選択されたこと）を検出した場合、機器管理部２１３に対して、テレビ１００のアクセス許可登録を要求する。機器管理部２１３は、メニュー管理部２１２からの要求を受けて、テレビ１００のアクセス許可を登録する（Ｓ４０９）。これによりテレビ１００のレコーダ２００に対するアクセス許可の登録処理が完了する。ここで、ユーザは、レコーダ２００でのアクセス許可のための操作完了後、テレビ１００での視聴のため、テレビ１００のある場所まで移動する。
【００７４】
なお、上記の例では、図６に示すように、アクセス許可を与える対象（「寝室のテレビ」）を登録画面上に予め表示し、許可の可否を「はい」、「いいえ」で選択するよう登録画面を作成したが、アクセス許可を与える対象の候補を一覧表示し、ユーザに一つの機器を選択させるように登録画面を作成しても良い。
【００７５】
以上の手順により、テレビ１００からレコーダ２００へのアクセス許可の登録が完了する。それ以降、ユーザによりテレビ１００に表示された機器選択メニュー１１上でレコーダ２００が選択されて（Ｓ４１０）、テレビ１００からレコーダ２００に対して接続要求が送信されると（Ｓ４１１）、その応答として、レコーダ２００からテレビ１００へ、接続許可に対応した情報が送信される（Ｓ４１２）。
【００７６】
ここで、ステップＳ４１１の「接続要求」は、ステップＳ４０２の「接続要求」と同様である。また、ステップＳ４１２において送信される、接続許可に対応する情報は上述のメニュー描画プログラムである。よって、テレビ１００が、この接続許可に対応する情報を受信すると、テレビ１００の表示部１４０には、レコーダ２００の操作画面が表示される。この操作画面により、ユーザはテレビ１００からレコーダ２００の機能を利用したり、レコーダ２００のデータ保存部２５０に蓄積されているコンテンツを視聴したりすることが可能となる。
【００７７】
さらに、ステップＳ４０４において登録準備モードに移行後、所定時間が経過しても、ステップＳ４０６におけるユーザによる登録のための操作が検出できなかった場合は、リモートメニュー管理部２１４は登録準備モードを解除する。
【００７８】
登録準備モードが解除された状態において、ステップＳ４０６におけるユーザによる登録のための操作を検知しても、リモートメニュー管理部２１４は、メニュー管理部２１２に対して、登録画面の表示を要求することは行わない。従って、ステップＳ４０４において登録準備モードに移行した後に所定時間が経過すると、自動的にテレビ１００からのアクセス許可登録処理はキャンセルされる。同様に、ステップＳ４０８において登録画面が表示された後、所定時間経過内にその登録画面に対してユーザによる操作が行われない場合は、登録画面の表示を取り消してもよい。また、ステップＳ４０７において登録モードに移行後、所定時間が経過したときに、登録モードを自動的に解除してもよい。
【００７９】
所定時間の値は任意に設定できる。所定時間は、例えば、テレビ１００とレコーダ２００が家屋内での設置状況（例えば、テレビ１００とレコーダ２００が家屋内で離れた部屋に設置されているか否か）や、ユーザの登録操作に要する時間などを想定して決定することが望ましい。また、所定時間は、ステップＳ４０５で表示された案内画面が自動的に消去される時間と同一または略同一の時間であることが望ましい。
【００８０】
以上のように、ユーザが、テレビ１００からアクセス許可の登録作業を開始したにも関わらず、途中で作業を中止して時間が経過してしまった場合であっても、所定時間の経過後は、アクセス許可の登録処理が自動的にキャンセルされる。このため、ユーザが次にレコーダ２００を操作した際に登録画面が表示されることが無くなり、ユーザの利便性が向上する。
【００８１】
また、ステップＳ４０６においてユーザが実行するアクセス許可を登録するための操作は、レコーダ２００からの再生信号に対する視聴に関する操作であり、例えば、以下の操作が含まれる。
１）レコーダ２００が電源オフの状態（正確には、レコーダ内部ではサブ電源がオン状態であるが、外見上、主電源がオフ状態に見えるような電源状態）にある場合は、レコーダ２００の電源（主電源）をオンにする操作。
２）レコーダ２００が視聴状態（映像信号や音声信号を出力している状態）にある場合（すなわち、アクセス許可を登録しようとするユーザとは別のユーザがレコーダ２００で放送や録画コンテンツを視聴している場合）であれば、レコーダ２００の視聴の際に使用されると予想される操作以外の操作。ここで、レコーダ２００の視聴の際に使用されると予想される操作には、例えば、音量調節の操作、輝度・色調等の調節のような画面設定の操作、または早送り・巻き戻しの操作が含まれる。
【００８２】
以上のように、上記実施形態では、テレビ１００とレコーダ２００に接続されたＩＰネットワーク３００においてテレビ１００からレコーダ２００へのアクセス許可をレコーダ２００に登録する方法において、レコーダ２００は、ＩＰネットワーク３００を介して、アクセス許可が未登録のテレビ１００から接続要求を受けた場合、テレビ１００からの接続を拒否し、登録準備モード（第１のモード）に移行する。登録準備モードにおいて、レコーダ２００は、レコーダ２００に対するユーザによる操作を検出し、検出したユーザによる操作が、レコーダ２００からの再生信号に対する視聴に関する操作か否かを判別する。ユーザによる操作が視聴に関する操作でない場合、レコーダ２００は、テレビ１００からレコーダ２００へのアクセス許可を登録するための登録モード（第２のモード）に移行する。一方、ユーザによる操作が視聴に関する操作であった場合、レコーダ２００は、登録モードに移行しない。
【００８３】
以上の構成により、あるユーザがレコーダ２００で視聴を楽しんでいる場合に、他のユーザによりネットワーク３００を介してテレビ１００からアクセス許可の登録要求が行われても、レコーダ２００に対して視聴の中断を行う操作が行われない限り、登録画面が表示されることがない。このため、レコーダ２００からの再生信号を視聴中のユーザが強制的に視聴を中断されることがなくなり、ユーザの利便性が向上する。
【００８４】
実施の形態２
アクセス許可の登録方法の別の例について説明する。実施の形態１のアクセス許可の登録方法では、レコーダ２００に登録画面を表示し、レコーダ２００においてユーザによる登録作業が実行されることによりアクセス許可の登録がなされる構成を説明した。これに対して、本実施の形態によるアクセス許可の登録方法は、レコーダ２００において案内画面が表示され、その後、ユーザによるテレビ１００上での登録作業が実行されることによりアクセス許可の登録が完了する。図７を用いて、実施の形態２におけるアクセス許可の登録手順のシーケンスを説明する。
【００８５】
図７において、ステップＳ６０１〜ステップＳ６０６はそれぞれ、実施の形態１の図５におけるステップＳ４０１〜ステップＳ４０６と同様であるので、それらの動作の詳細は省略する。以下では、特に、ステップＳ６０６にてユーザにより登録のための操作が実行され、登録準備モードが解除された後の動作、すなわち、ステップＳ６０７〜ステップＳ６１２の動作について詳細に説明する。なお、このとき、ユーザは、ステップＳ６０５において、テレビ１００に表示される案内画面（図４（ｂ）参照）を参照し、レコーダ２００のある場所に移動している。
【００８６】
ステップＳ６０６においてユーザによる登録のための操作の実行を検出すると（すなわち、検出された操作が登録のための操作であると判断されると）、レコーダ２００のリモートメニュー管理部２１４は、登録準備モードを解除し、登録モードに移行する（Ｓ６０７）。なお、この登録モードは、登録モードへ移行した後、所定時間経過しときに、自動的に解除されることが望ましい。また、登録モードへ移行する前に、ディスプレイ２６０に、ユーザにアクセス許可の登録を行うか否かを確認するための確認画面を表示させるようにしてもよい。
【００８７】
そして、レコーダ２００のリモートメニュー管理部２１４は、メニュー管理部２１２に対して、テレビ１００をレコーダ２００に登録するために必要な作業をユーザに示す案内画面を表示するよう要求する（Ｓ６０８）。これにより、ディスプレイ２６０にアクセス許可登録モードの案内画面が表示される。図８に、この案内画面の一例（アクセス許可登録モードの案内画面１５）を示す。
【００８８】
ユーザは、ディスプレイ２６０に表示されたアクセス許可登録モードの案内画面１５を参照して、テレビ１００側において機器（レコーダ）を選択するための操作を実行しなければならないことを認識できる。ユーザは、レコーダ２００のある場所からテレビ１００のある場所まで戻り、テレビ１００の表示部１４０に機器選択メニュー１１（図４（ａ）参照）を表示させ、機器選択メニュー１１上でアクセス許可を得たい機器すなわちレコーダを選択する。本実施の形態では、「リビングのレコーダ」を示すアイコン１１ａを選択する。ユーザによるレコーダ２００の選択操作を検出すると（Ｓ６０９）、テレビ１００は、レコーダ２００に対して接続要求を送信する（Ｓ６１０）。
【００８９】
レコーダ２００のリモートメニュー管理部２１４は、テレビ１００から送信された接続要求のＥｔｈｅｒパケットからＭＡＣアドレスを抽出し、そのＭＡＣアドレスに該当する機器、すなわちテレビ１００に対するアクセス許可を登録するように、機器管理部２１３に要求する。なお、ＭＡＣアドレスを利用する代わりに、前述のように、ＨＴＴＰヘッダを利用した機器固有ＩＤの通知を利用する方式でも良い。
【００９０】
機器管理部２１３がテレビ１００に対するアクセス許可の登録処理を完了する（Ｓ６１１）と、リモートメニュー管理部２１４は登録モードを解除し、接続許可に対応する情報（メニュー描画プログラム）をテレビ１００に送信する（Ｓ６１２）。
【００９１】
以上のようにして、テレビ１００のアクセス許可の登録とともに、テレビ１００に対して、接続許可に対応する情報としてメニュー描画プログラムの送信が完了する。これにより、テレビ１００の表示部１４０にレコーダ２００の操作画面が表示される。この操作画面により、ユーザはテレビ１００からレコーダ２００の機能を利用したり、レコーダ２００のデータ保存部２５０に蓄積されたコンテンツを視聴したりすることが可能となる。
【００９２】
以上のように、実施の形態２では、アクセス許可が未登録のテレビ１００から接続要求を受けた場合、レコーダ２００は、登録準備モードに移行して、ユーザによるアクセス許可登録のための操作を待つ。その後、ユーザによるアクセス許可登録のための操作を検出すると、レコーダ２００は、登録準備モードから登録モードへ移行し、アクセス許可登録のためにテレビ１００側において機器選択の操作を促す案内画面（図８参照）を表示する。そして、テレビ１００側において、ユーザによるアクセス許可登録のための操作（レコーダの選択）がなされ、テレビ１００から接続要求を受けときに、レコーダ２００はアクセス許可の登録を行う。このように、レコーダ２００は、案内画面表示後に、最初に接続要求を受けたテレビと同一のテレビからの接続要求を受けた場合に、アクセス許可の登録を完了する。これにより、ユーザが実際に登録したいテレビと異なるテレビに対して、レコーダにおいて誤ってアクセス許可が登録されることを防止できる。
【産業上の利用可能性】
【００９３】
本発明は、ネットワークで接続されるテレビやレコーダ等のデジタル家電機器における機器登録および表示ユーザインタフェースに有用である。
【符号の説明】
【００９４】
１００  テレビ
１１０  制御部
１１１  機器認識部
１１２  メニュー管理部
１１３  機器管理部
１１４  リモートメニュー管理部
１２０  ネットワークインタフェース
１３０  入力部
１４０  表示部
２００  レコーダ
２１０  制御部
２１１  機器認識部
２１２  メニュー管理部
２１３  機器管理部
２１４  リモートメニュー管理部
２２０  ネットワークインタフェース
２３０  入力部
２４０  出力部
２５０  データ保存部
２６０  ディスプレイ
【手続補正３】
【補正対象書類名】図面
【補正対象項目名】全図
【補正方法】変更
【補正の内容】
【図１】
2011070706.tif 000012
【図２】
2011070706.tif 000013
【図３】
2011070706.tif 000014
【図４】
2011070706.tif 000015
【図５】
2011070706.tif 000016
【図６】
2011070706.tif 000017
【図７】
2011070706.tif 000018
【図８】
2011070706.tif 000019
【図９】
2011070706.tif 000020
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
第１の機器と第２の機器に接続されたネットワークにおいて前記第１の機器から前記第２の機器に記録されたデータへのアクセス許可を前記第２の機器に登録する方法であって、
前記第２の機器は、前記ネットワークを介して、前記第２の機器に記録されたデータへのアクセス許可が未登録の第１の機器から、前記第２の機器に記録されたデータへのアクセス許可を得るための要求である接続要求を受けた場合、
前記第１の機器からの前記接続要求を拒否し、第１のモードに移行し、
前記第１のモードにおいて、前記第２の機器に対するユーザによる操作を検出し、前記検出したユーザによる操作が、前記第２の機器からの再生信号の視聴を中断する操作か否かを判別し、
前記ユーザによる操作が前記第２の機器からの再生信号の視聴を中断する操作である場合に、前記第１の機器から前記第２の機器に記録されたデータへのアクセス許可を登録するための第２のモードに移行し、
前記ユーザによる操作が前記第２の機器からの再生信号の視聴を中断する操作でない場合に、前記第２のモードに移行しない、
機器登録方法。
【請求項２】
前記第２のモードにおいて、前記第２の機器は、前記第１の機器から前記第２の機器に記録されたデータへのアクセス許可を登録するための登録画面を前記第２の機器に接続された表示機器に表示させ、前記登録画面上でのユーザによる操作にしたがい前記アクセス許可を登録する、
請求項１記載の機器登録方法。
【請求項３】
前記第２のモードにおいて、前記第２の機器は、前記第１の機器から再度の接続要求を受信したときに前記アクセス許可を登録する、
請求項１記載の機器登録方法。
【請求項４】
前記第２のモードにおいて、前記第２の機器は、前記アクセス許可を登録するために前記第１の機器上での操作を促すための案内画面を表示させるための情報を前記第１の機器に送信する、請求項３記載の機器登録方法。
【請求項５】
前記第２の機器は、前記ネットワークを介して未登録の第１の機器から接続要求を受けた場合、第１の機器から第２の機器に記録されたデータへのアクセス許可を登録する必要がある旨の情報、及びアクセス許可の登録方法に関する情報を、ユーザに提示する案内画面を表示させるための情報を、前記第１の機器に送信する、
請求項１から３のいずれか１つに記載の機器登録方法。
【請求項６】
前記第１のモードへ移行後、所定時間が経過するまでに前記再生信号の視聴を中断する操作を検出しなかった場合、前記第１のモードを解除する、請求項１から５のいずれか１つに記載の機器登録方法。
【請求項７】
前記第２のモードへ移行後、所定時間が経過したときに、前記第２のモードを解除する、請求項１から６のいずれか１つに記載の機器登録方法。
【請求項８】
前記再生信号の視聴を中断する操作は、音量調節のための操作、画面設定のための操作、早送り操作及び巻き戻し操作以外の操作である、請求項１から７のいずれか１つに記載の機器登録方法。
【請求項９】
クライアント装置とネットワークを介して接続され、前記クライアントからのアクセス許可を登録可能なサーバ装置であって、
ユーザからの操作を受け付ける入力部と、
前記ネットワークに対してデータの入出力を行うインタフェース部と、
サーバ装置に記録されたデータへのアクセスの許可を制御する制御部とを備え、
前記制御部は、
前記入力部が前記サーバ装置に記録されたデータへのアクセス許可が未登録のクライアント装置からネットワークを介して、前記サーバ装置に記録されたデータへのアクセス許可を得るための要求である接続要求を受けた場合に、
前記クライアント装置からの前記接続要求を拒否する応答をクライアント装置に送信し、前記サーバ装置を第１のモードに移行し、
前記第１のモードにおいて、前記サーバ装置に対するユーザによる操作を検出し、前記検出したユーザによる操作が前記第サーバ装置からの再生信号の視聴を中断する操作か否かを判別し、
前記ユーザによる操作が前記再生信号の視聴を中断する操作である場合に、前記サーバ装置を、前記クライアント装置から前記サーバ装置に記録されたデータへのアクセス許可を登録するための第２のモードに移行し、
前記ユーザによる操作が前記再生信号の視聴を中断する操作でない場合に、前記サーバ装置を前記第２のモードに移行しない、
サーバ装置。
【請求項１０】
前記制御部は、前記第２のモードにおいて、前記クライアント装置から前記サーバ装置に記録されたデータへのアクセス許可を登録するための登録画面を前記サーバ装置に接続された表示機器に表示させ、前記登録画面上でのユーザによる操作にしたがい前記アクセス許可を登録する、
請求項９記載のサーバ装置。
【請求項１１】
前記制御部は、前記第２のモードにおいて、前記クライント装置から再度の接続要求を受信したときに前記アクセス許可を登録する、
請求項９記載のサーバ装置。
【請求項１２】
前記第２のモードにおいて、前記制御部は、前記アクセス許可を登録するために前記クライアント装置上での操作を促すための案内画面を表示させるための情報を前記クライアント装置に送信する、請求項１１記載のサーバ装置。
【請求項１３】
前記制御部は、前記ネットワークを介して未登録のクラインアント装置から接続要求を受けた場合、クライアント装置からサーバ装置に記録されたデータへのアクセス許可を登録する必要がある旨の情報、及びアクセス許可の登録方法に関する情報を、ユーザに提示する案内画面を表示させるための情報を、前記クラインアント装置に送信する、
請求項９から１１のいずれか１つに記載のサーバ装置。
【請求項１４】
前記制御部は、前記第１のモードへ移行後、所定時間が経過するまでに前記再生信号の視聴を中断する操作を検出しなかった場合、前記第１のモードを解除する、請求項９から１３のいずれか１つに記載のサーバ装置。
【請求項１５】
前記制御部は、前記第２のモードへ移行後、所定時間が経過したときに、前記第２のモードを解除する、請求項９から１４のいずれか１つに記載のサーバ装置。
【請求項１６】
前記再生信号の視聴を中断する操作は、音量調節のための操作、画面設定のための操作、早送り操作及び巻き戻し操作以外の操作である、請求項９から１５のいずれか１つに記載のサーバ装置。
【手続補正２】
【補正対象書類名】明細書
【補正対象項目名】００１３
【補正方法】変更
【補正の内容】
【００１３】
本発明の第１の態様において、第１の機器と第２の機器に接続されたネットワークにおいて前記第１の機器から前記第２の機器に記録されたデータへのアクセス許可を前記第２の機器に登録する方法が提供される。機器登録方法において、第２の機器は、ネットワークを介して、第２の機器に記録されたデータへのアクセス許可が未登録の第１の機器から第２の機器に記録されたデータへのアクセス許可を得るための要求である接続要求を受けた場合、第１の機器からの接続要求を拒否し、第１のモードに移行する。第１のモードにおいて、第２の機器に対するユーザによる操作を検出し、検出したユーザによる操作が、第２の機器からの再生信号の視聴を中断する操作か否かを判別する。ユーザによる操作が再生信号の視聴を中断する操作である場合、第１の機器から第２の機器へのアクセス許可を登録するための第２のモードに移行する。ユーザによる操作が再生信号の視聴を中断する操作でない場合、第２のモードに移行しない。
【手続補正３】
【補正対象書類名】明細書
【補正対象項目名】００１４
【補正方法】変更
【補正の内容】
【００１４】
本発明の第２の態様において、クライアント装置とネットワークを介して接続され、クライアントからのアクセス許可を登録可能なサーバ装置が提供される。サーバ装置は、ユーザからの操作を受け付ける入力部と、ネットワークに対してデータの入出力を行うインタフェース部と、サーバ装置に記録されたデータへのアクセスの許可を制御する制御部とを備える。制御部は、入力部が、サーバ装置に記録されたデータへアクセス許可が未登録のクライアント装置からネットワークを介してサーバ装置に記録されたデータへのアクセス許可を得るための要求である接続要求を受けた場合に、クライアント装置からの接続要求を拒否する応答をクライアント装置に送信し、サーバ装置を第１のモードに移行する。第１のモードにおいて、サーバ装置に対するユーザによる操作を検出し、検出したユーザによる操作がサーバ装置からの再生信号の視聴を中断する操作か否かを判別する。ユーザによる操作が再生信号の視聴を中断する操作である場合に、サーバ装置を、クライアント装置からサーバ装置へのアクセス許可を登録するための第２のモードに移行する。ユーザによる操作が再生信号の視聴を中断する操作でない場合に、サーバ装置を第２のモードに移行しない。
【手続補正４】
【補正対象書類名】明細書
【補正対象項目名】００８１
【補正方法】変更
【補正の内容】
【００８１】
また、ステップＳ４０６においてユーザが実行するアクセス許可を登録するための操作は、レコーダ２００からの再生信号に対する視聴に関する操作以外の操作であり、例えば、以下の操作が含まれる。
１）レコーダ２００が電源オフの状態（正確には、レコーダ内部ではサブ電源がオン状態であるが、外見上、主電源がオフ状態に見えるような電源状態）にある場合は、レコーダ２００の電源（主電源）をオンにする操作。
２）レコーダ２００が視聴状態（映像信号や音声信号を出力している状態）にある場合（すなわち、アクセス許可を登録しようとするユーザとは別のユーザがレコーダ２００で放送や録画コンテンツを視聴している場合）であれば、レコーダ２００の視聴の際に使用されると予想される操作以外の操作。ここで、レコーダ２００の視聴の際に使用されると予想される操作には、例えば、音量調節の操作、輝度・色調等の調節のような画面設定の操作、または早送り・巻き戻しの操作が含まれる。
【国際調査報告】
2011070706.tif 000021
2011070706.tif 000022
2011070706.tif 000023
2011070706.tif 000024